(57)【要約】【課題】  動画像の利用及び再生をより便利にし、ユーザが所望する場面から容易に再生を開始することを可能にするシステムを提供する。【解決手段】  複写機６２は、動画像を携帯電話から受信する受信データ解析部１４０と、予め定める指定方法に従い、受信した動画像中の複数の再生位置を指定する静止画像時間間隔算出部１４４と、指定した複数の再生位置に基づき、動画像から複数の静止画像を生成する静止画像生成部１４８と、指定した複数の再生位置をそれぞれ示す複数の画像コードを生成する画像コード生成部１５２と、複数の静止画像と複数の画像コードとを再生位置ごとに配置し、印刷データを生成するための印刷データ生成部１５４と、印刷データを予め定める印刷媒体上に印刷するための印刷部１５８とを含む。携帯電話は、印刷された画像コードを読取り、指定された再生位置から動画像を再生する。【選択図】        図４
2006013792.tif 000002
【特許請求の範囲】
【請求項１】
動画像を他の装置から受信するための動画像受信手段と、
予め定める指定方法に従い、前記動画像受信手段が受信した動画像中の複数の再生位置を指定するための指定手段と、
前記指定手段が指定した前記複数の再生位置に基づき、前記動画像から複数の静止画像を生成するための静止画像生成手段と、
前記複数の静止画像を所定の順序で配置した印刷データを生成するための印刷データ生成手段と、
前記印刷データを予め定める印刷媒体上に印刷するための印刷手段とを含む、印刷装置。
【請求項２】
さらに、前記指定手段が指定した前記複数の再生位置をそれぞれ示す複数の画像コードを生成するための画像コード生成手段を含み、
前記印刷データ生成手段は、前記複数の静止画像と前記複数の画像コードとを、前記再生位置ごとに配置した印刷データを生成するための画像コード印刷データ生成手段を含む、請求項１に記載の印刷装置。
【請求項３】
前記動画像受信手段は、他の装置から動画像と当該動画像に対応する識別情報とを受信するための手段を含み、
前記画像コード生成手段は、前記指定手段が指定した前記複数の再生位置と前記識別情報とを組合せて画像コード化するための手段を含む、請求項２に記載の印刷装置。
【請求項４】
さらに、前記指定手段が指定した前記複数の再生位置をそれぞれ示す複数の文字列情報を生成するための文字列情報生成手段を含み、
前記印刷データ生成手段は、前記複数の静止画像と前記複数の文字列情報とを、前記再生位置ごとに配置した印刷データを生成するための手段を含む、請求項１に記載の印刷装置。
【請求項５】
前記動画像受信手段は、他の装置から動画像と当該動画像の名称とを受信するための手段を含み、
前記文字列情報生成手段は、それぞれ前記複数の再生位置と前記動画像の名称とを示す複数の文字列情報を生成するための手段を含む、請求項４に記載の印刷装置。
【請求項６】
さらに、前記指定手段が指定した前記複数の再生位置をそれぞれ示す複数の画像コードを生成するための画像コード生成手段と、
前記指定手段が指定した前記複数の再生位置をそれぞれ示す複数の文字列情報を生成するための文字列情報生成手段とを含み、
前記印刷データ生成手段は、前記複数の静止画像と、前記複数の画像コードと、前記複数の文字列情報とを、前記再生位置ごとに配置した印刷データを生成するための手段を含む、請求項１に記載の印刷装置。
【請求項７】
前記指定手段は、
前記予め定める印刷媒体のサイズをもとに、当該印刷媒体に印刷できる静止画像数を特定するための静止画像数特定手段と、
前記動画像の再生に要する時間を特定するための時間特定手段と、
前記静止画像数特定手段により特定された静止画像数と前記動画像の再生に要する時間とをもとに、前記静止画像数と同数の前記再生位置を指定するための再生位置指定手段とを含む、請求項１から請求項６のいずれかに記載の印刷装置。
【請求項８】
前記再生位置指定手段は、前記静止画像数特定手段により特定された静止画像数と前記動画像の再生に要する時間とをもとに、前記再生位置同士の時間間隔を決定するための時間間隔決定手段と、
前記時間間隔決定手段が決定した時間間隔ごとに、前記静止画像数と同数の前記再生位置を指定するための手段とを含む、請求項７に記載の印刷装置。
【請求項９】
前記時間間隔決定手段は、前記静止画像数と前記動画像の再生に要する時間とをもとに、前記再生位置同士が等間隔になるように前記時間間隔を決定するための手段を含む、請求項８に記載の印刷装置。
【請求項１０】
前記時間間隔決定手段は、前記静止画像数と、前記動画像の再生に要する時間と、前記動画像受信手段が受信した動画像とをもとに、前記動画像の変化量に応じて、前記再生位置同士の時間間隔を決定するための手段を含む、請求項８に記載の印刷装置。
【請求項１１】
前記時間特定手段は、前記動画像をもとに、前記動画像全体の再生に要する時間を特定するための手段を含む、請求項７に記載の印刷装置。
【請求項１２】
さらに、前記動画像中の所定区間の開始位置及び終了位置を示す区間情報を取得するための手段を含み、
前記時間特定手段は、前記区間情報に基づき、前記所定区間を再生するのに要する時間を特定するための手段を含み、
前記再生位置指定手段は、静止画像数特定手段により特定された静止画像数と前記所定区間を再生するのに要する時間とをもとに、前記所定区間内で、前記静止画像数と同数の前記再生位置を指定するための手段を含む、請求項７に記載の印刷装置。
【請求項１３】
前記指定手段は、
ユーザによる前記再生位置同士の時間間隔の設定を受けるための手段と、
前記ユーザにより設定された時間間隔ごとに、複数の前記再生位置を指定するための手段とを含む、請求項１から請求項６のいずれかに記載の印刷装置。
【請求項１４】
前記指定手段は、
ユーザによる前記予め定める印刷媒体に印刷すべき静止画像数の設定を受けるための手段と、
前記動画像の再生に要する時間を特定するための時間特定手段と、
前記ユーザにより設定された静止画像数と前記動画像の再生に要する時間とをもとに、前記静止画像数と同数の前記再生位置を指定するための再生位置指定手段とを含む、請求項１から請求項６のいずれかに記載の印刷装置。
【請求項１５】
前記動画像受信手段は、他の装置から、複数の動画像を受信するための手段を含み、
前記指定手段は、前記複数の動画像の各々に対し、複数の再生位置を指定するための動画像別指定手段を含む、請求項１に記載の印刷装置。
【請求項１６】
前記動画像別指定手段は、
前記予め定める印刷媒体のサイズをもとに、当該印刷媒体に印刷できる静止画像数を特定するための静止画像数特定手段と、
前記静止画像数をもとに、前記複数の動画像の各々に対して、生成すべき静止画像数を割当てるための割当手段と、
前記複数の動画像の各々に対し、前記割当手段が割当てた前記生成すべき静止画像数と同数の再生位置を指定するための手段とを含む、請求項１５に記載の印刷装置。
【請求項１７】
さらに、前記他の装置から、所定の時間を示す時間情報を受信するための時間情報受信手段と、
前記動画像受信手段が前記他の装置から前記動画像を受信したか、前記時間情報を受信したかを判定するための判定手段とを含み、
前記指定手段は、前記判定手段による判定結果に応答して、前記動画像から前記静止画像生成手段が静止画像を生成すべき、前記動画像中の複数の再生位置を指定する動作と、前記時間情報をもとに、前記時間情報により示される時間中の複数の時点を指定する動作とを選択的に実行するための選択的指定手段とを含み、
前記印刷データ生成手段は、前記判定手段の判定結果に応答して、前記複数の静止画像と前記画像コードとを、前記再生位置ごとに配置した印刷データを生成する動作と、前記複数の画像コードを、前記時点ごとに配置した印刷データを生成する動作とを選択的に実行するための手段とを含む、請求項２に記載の印刷装置。
【請求項１８】
前記指定手段はさらに、
前記予め定める印刷媒体のサイズをもとに、当該印刷媒体に印刷できる画像コード数を特定するための画像コード数特定手段と、
前記予め定める印刷媒体のサイズをもとに、当該印刷媒体に印刷できる静止画像数を特定するための静止画像数特定手段とを含み、
前記選択的指定手段は、
前記判定手段の判定結果に応答して、前記動画像から静止画像生成手段が静止画像を生成すべき、前記静止画像数と同数の再生位置を指定する動作と、前記時間情報をもとに、前記時間情報により示される時間中の、前記画像コード数と同数の時点を指定する動作とを選択的に実行するための手段を含む、請求項１７に記載の印刷装置。
【請求項１９】
前記動画像は、所定の時間間隔で定められた複数の表示時刻にそれぞれ表示されるべき複数のフレーム画像を定めるデータを含み、
前記静止画像生成手段は、前記動画像の、前記指定手段が指定した前記複数の再生位置に対しそれぞれ最も近い表示時刻のフレーム画像から静止画像を生成するための手段を含む、請求項１に記載の印刷装置。
【請求項２０】
前記印刷データを表示するための手段をさらに含む、請求項１に記載の印刷装置。
【請求項２１】
コンピュータにより実行されると、当該コンピュータを請求項１から請求項２０のいずれかに記載の印刷装置として動作させる、コンピュータプログラム。
【請求項２２】
動画像を保持するための保持手段と、
動画像中の再生位置を指定する再生位置情報を含み、所定の方法で画像コード化された動画情報を読取るための読取手段と、
前記読取手段が読取った前記動画情報を復号化するための復号化手段と、
前記復号化手段により復号化された動画情報に基づき、前記保持手段に保持された前記動画像の、前記再生位置情報により指定された再生位置から当該動画像を再生するための再生手段とを含む、動画像再生装置。
【請求項２３】
前記保持手段は、所定の識別情報により識別される複数の動画像を保持するための手段を含み、
前記動画情報は、前記動画像に対応する識別情報と前記再生位置情報とを含み、
前記再生手段は、
前記復号化手段により復号化された動画情報に基づき、前記保持するための手段により保持された動画像のうち、前記識別情報により識別されるものを選択するための動画像選択手段と、
前記復号化手段により復号化された動画情報に基づき、前記動画像選択手段により選択された動画像の、前記再生位置情報により指定された再生位置から当該動画像を再生するための手段とを含む、請求項２２に記載の動画像再生装置。
【請求項２４】
前記保持するための手段は、前記動画像の名称により識別される複数の動画像を保持するための名称別動画像保持手段を含む、請求項２３に記載の動画像再生装置。
【請求項２５】
前記動画像は、所定時間間隔で定められた複数の表示時刻にそれぞれ表示されるべき複数のフレーム画像を定めるデータを含み、
前記再生手段は、前記復号化手段により復号化された動画情報に基づき、前記保持手段に保持された前記動画像の、前記再生位置情報により指定された再生位置の後であってかつ前記再生位置に最も近い表示時刻に対応するフレーム画像から当該動画像を再生するための手段を含む、請求項２２に記載の動画像再生装置。
【請求項２６】
さらに、他の装置に対して前記保持手段に保持された動画像を送信するための送信手段を含む、請求項２２に記載の動画像再生装置。
【請求項２７】
前記保持手段は、所定の識別情報により識別される複数の動画像を保持するための手段を含み、
前記送信手段は、前記動画像と当該動画像に対応する識別情報とを他の装置に送信するための手段を含む、請求項２６に記載の動画像再生装置。
【請求項２８】
前記動画像は、当該動画像の二次的利用が禁止されたものであることがあり、
前記送信手段は、
前記保持手段に保持された動画像の二次的利用が禁止されているか否かを判定するための判定手段と、
前記判定手段により二次的利用が禁止されていないと判定された動画像を他の装置に送信するための動画像送信手段と、
前記判定手段により二次的利用が禁止されていると判定された動画像の再生に要する時間を特定し、特定した前記再生に要する時間を示す動画時間情報を他の装置に送信するための動画時間情報送信手段とを含む、請求項２６に記載の動画像再生装置。
【請求項２９】
コンピュータにより実行されると、当該コンピュータを請求項２２から請求項２８のいずれかに記載の動画像再生装置として動作させる、コンピュータプログラム。
【請求項３０】
動画像を保持するための保持手段と、
前記保持手段に保持された動画像の二次的利用が禁止されているか否かを判定するための判定手段と、
前記判定手段により二次的利用が禁止されていないと判定された動画像を他の装置に送信するための動画像送信手段と、
前記判定手段により二次的利用が禁止されていると判定された動画像の再生に要する時間を特定し、特定した前記再生に要する時間を示す動画時間情報を他の装置に送信するための動画時間情報送信手段とを含む、動画像送信装置。
【請求項３１】
コンピュータで実行されると、当該コンピュータを請求項３０に記載の動画像送信装置として動作させる、コンピュータプログラム。
【請求項３２】
請求項２１、請求項２９、及び請求項３１のいずれかに記載のコンピュータプログラムを記録した、コンピュータで読出可能な記録媒体。
【請求項３３】
動画像を保持するための手段と、
前記動画像を送信するための送信手段とを含む、動画像送信装置と、
請求項１に記載の印刷装置とを含む、動画像印刷システム。
【請求項３４】
請求項２に記載の印刷装置と、
請求項２６に記載の動画像再生装置とを含み、前記動画像再生装置は、前記印刷装置により印刷される、画像コード化された情報を読取る、動画像再生システム。
【請求項３５】
請求項１７に記載の印刷装置と、
請求項３０に記載の動画像送信装置とを含む、動画像印刷システム。
【発明の詳細な説明】
【技術分野】
【０００１】
本発明は、動画像の処理を行なうシステム、具体的には携帯電話等ユーザが携帯して使用する装置とＭＦＰ（Ｍｕｌｔｉ  Ｆｕｎｃｔｉｏｎ  Ｐｒｉｎｔｅｒ）などの複写機とが連携し、静止画像を生成して印刷する動画像印刷システム及び動画像を再生する動画像再生システム、並びに印刷装置、動画像送信装置、及び動画像再生装置に関する。
【背景技術】
【０００２】
近年、携帯電話等ユーザが携帯して使用する装置の多機能化が進んでいる。特に、カメラ等を内蔵し、動画像又は静止画像を撮影する機能を有するものが普及するようになった。このような装置の中には、撮影した画像のデータを送受信するものも多く、手軽に撮影を行ない、そのデータを利用できるようになった。
【０００３】
携帯電話等で撮影した画像のデータの利用方法として、撮影した静止画像をプリンタ等で印刷する方法がある。例えば、個人用のプリンタには、携帯電話等で撮影した静止画像のデータを簡単に印刷できるものがあり、一般化しつつある。また、業務用の複写機等にも、撮影した静止画像を簡単に印刷できるものがある。例えば、コイン式の複写機では、投入した金額分の複写を行なうだけでなく、個人が携帯電話等に保持させているデータを印刷するような機能を持つものもある。
【０００４】
後掲の特許文献１には、ノート型パーソナルコンピュータ（以下、「ノートパソコン」と呼ぶ。）などの携帯端末装置から複写機へ画像ファイル又は文書ファイルを送信し、これを複写機が印刷するプリントサービスシステムが開示されている。このシステムでは、携帯端末装置は携帯電話に接続される。複写機は公衆回線網に接続される。携帯端末装置は、画像ファイル又は文書ファイルを携帯電話に送信し、携帯電話は、公衆回線網を介して、それらのファイルを複写機に送信する。複写機は、公衆回線網を介してファイルを受信して印刷する。このシステムにより、携帯電話を接続した携帯端末装置からコンビニエンスストア等に設置された複写機へ画像又は文書ファイルを送信して印刷することが可能となる。
【０００５】
また動画像については、指定されたコマ以降から複数の静止画像を抽出して印刷を行なう印刷システムが特許文献２に開示されている。このシステムでは、静止画データ抽出装置が、映像再生装置が再生する動画像データの出力から、所定のコマ毎に静止画像を抽出する。印刷データ生成装置は、抽出された静止画像と予め用意されたパッケージデータとを合成して印刷データを生成して印刷する。このシステムにより、動画データをもとにして複数の異なる印刷データを生成してパッケージ等に印刷することが可能となる。
【０００６】
【特許文献１】特開２００３−１０８４６９号公報
【特許文献２】特開２００３−２３４９９６号公報
【発明の開示】
【発明が解決しようとする課題】
【０００７】
上記したように、近年の携帯電話では、静止画像だけでなく動画像を撮影し再生するものが普及している。そこで、携帯電話などと複写機等の印刷機能とを連携させて、携帯電話が保持する動画像データを、静止画像の場合と同様に何らかの形で印刷して利用するような、動画像データの利用方法が求められるようになることが想定される。
【０００８】
特許文献１に記載のシステムでは、動画像を印刷する目的での利用は想定されていない。動画像は時間的に表示される映像が変化するため、静止画像又は文書を印刷する場合と異なり、印刷すべきデータと印刷される画像等との間に単純な対応関係が成立しない。そのため、このシステムでは印刷すべき画像を特定することができない。よって、動画像データについてはこのシステムを利用できない。
【０００９】
これに対して特許文献２に記載のシステムは、動画像から印刷物を生成できる。しかし、この静止画生成システムと印刷システムとは、常態で接続された環境が想定されている。携帯電話のように移動式の端末とコンビニエンスストアにある複写機とのように、常態で非接続であるような環境は想定されていない。よって、携帯電話等について想定される上記した利用方法にはこのシステムを利用できない。また、このシステムでは、動画像から生成した静止画像に印刷データがそれぞれ生成され、それぞれ印刷される。そのため、静止画像の各々に対して１枚ずつ印刷物が生成される。パッケージの印刷等においては、互いに他と異なるデザインのパッケージが多数印刷されることは望ましいことであるかもしれない。しかし、家庭用のプリンタ、及び複写機においてこのシステムを利用すると、１つの動画像について生成される印刷物の枚数が多くなり、不便である。
【００１０】
また、携帯電話の動画像は、動画像データの最初からしか再生されないという課題が存在する。現在の携帯電話の機能上、動画データはそれほど長いものは存在しない。しかし、今後の携帯電話端末の発展を考慮に入れると、動画像の再生開始位置を指定できない現状に利用者が不便を感じるということは容易に想像がつく。
【００１１】
それゆえに、本発明の目的は、携帯電話、又はノートパソコン等、ユーザが携帯して使用する動画像再生装置と、複写機等の印刷装置とを連携することにより、動画像の利用及び再生をより便利にするシステムを提供することである。
【００１２】
本発明の別の目的は、携帯電話等の装置において、動画像をユーザが所望する場面から容易に再生することを可能にするシステムを提供することである。
【課題を解決するための手段】
【００１３】
本発明の第１の局面に係る印刷装置は、動画像を他の装置から受信するための動画像受信手段と、予め定める指定方法に従い、動画像受信手段が受信した動画像中の複数の再生位置を指定するための指定手段と、指定手段が指定した複数の再生位置に基づき、動画像から複数の静止画像を生成するための静止画像生成手段と、複数の静止画像を所定の順序で配置した印刷データを生成するための印刷データ生成手段と、印刷データを予め定める印刷媒体上に印刷するための印刷手段とを含む。
【００１４】
動画像受信装置が他の装置から動画像を受信すると、指定手段が動画像中の複数の再生位置を指定する。再生位置により動画像において印刷すべき静止画像がそれぞれ特定される。静止画像生成手段は、動画像から複数の再生位置に対応する複数の静止画像を生成する。印刷データ生成手段と印刷手段とが、再生位置に基づき生成した複数の静止画像を、印刷媒体上に、自動的に配置して印刷する。印刷媒体には、所定の順序で静止画像が配置され印刷される。よって、印刷機能を持たない装置が保持する動画像を印刷し利用することが可能になる。
【００１５】
好ましくは、印刷装置はさらに、指定手段が指定した複数の再生位置をそれぞれ示す複数の画像コードを生成するための画像コード生成手段を含む。印刷データ生成手段は、複数の静止画像と複数の画像コードとを、再生位置ごとに配置した印刷データを生成するための画像コード印刷データ生成手段を含む。
【００１６】
画像コード生成手段は、指定手段が指定した複数の再生位置をそれぞれ示す複数の画像コードを生成する。生成された画像コードは、画像コードが示す再生位置に基づき静止画像生成手段が生成した静止画像と対応関係にある。よって、印刷された静止画像のうちの一つに対応して配置された画像コードを他の装置に読取らせることにより、画像コードを読取った装置では、静止画像に対応する画像コードから、動画像中の再生位置を特定し、何らかの形で利用することが可能となる。
【００１７】
より好ましくは、動画像受信手段は、他の装置から動画像とその動画像に対応する識別情報とを受信するための手段を含む。画像コード生成手段は、指定手段が指定した複数の再生位置と識別情報とを組合せて画像コード化するための手段を含む。
【００１８】
受信するための手段は、他の装置から動画像とその動画像に対応する識別情報とを受信する。受信した識別情報と、指定手段が指定した複数の再生位置とを、画像コード化するための手段が組合せて画像コード化する。したがって、印刷された静止画像のうちの一つに対応して配置された画像コードを他の装置に読取らせることにより、画像コードを読取った装置では、画像コード化された情報に含まれる識別情報によって静止画像に対応する動画像を特定し、その動画像中の再生位置を特定して利用することが可能となる。
【００１９】
好ましくは、印刷装置はさらに、指定手段が指定した複数の再生位置をそれぞれ示す複数の文字列情報を生成するための文字列情報生成手段を含む。印刷データ生成手段は、複数の静止画像と複数の文字列情報とを、再生位置ごとに配置した印刷データを生成するための手段を含む。
【００２０】
文字列情報生成手段は、指定手段が指定した複数の再生位置を示す複数の文字列情報を生成する。生成された文字列情報は、印刷データを生成するための手段により、再生位置ごとに、静止画像とともに配置される。印刷データには、指定手段が指定した複数の再生位置に対応する複数の静止画像と、その再生位置を示す複数の文字列情報とが再生位置ごとに配置される。印刷手段は、この印刷データを印刷媒体に印刷する。したがって、印刷媒体に印刷された静止画像と文字列情報とにより、動画像の概略をユーザが容易に把握できる。
【００２１】
より好ましくは、動画像受信手段は、他の装置から動画像とその動画像の名称とを受信するための手段を含む。文字列情報生成手段は、それぞれ複数の再生位置と動画像の名称とを示す複数の文字列情報を生成するための手段を含む。
【００２２】
受信するための手段は、他の装置から、動画像とその動画像の名称とを受信する。受信した動画像の名称と指定手段が指定した複数の再生位置とを示す複数の文字列情報を、文字列情報を生成するための手段が生成する。したがって、印刷媒体に印刷された文字列情報と静止画像とにより、動画像の名称とその動画像の概略とを容易に確認でき、ユーザによる動画像の把握を容易にすることができる。
【００２３】
好ましくは、印刷装置はさらに、指定手段が指定した複数の再生位置をそれぞれ示す複数の画像コードを生成するための画像コード生成手段と、指定手段が指定した複数の再生位置をそれぞれ示す複数の文字列情報を生成するための文字列情報生成手段とを含む。印刷データ生成手段は、複数の静止画像と、複数の画像コードと、複数の文字列情報とを、再生位置ごとに配置した印刷データを生成するための手段を含む。
【００２４】
画像コード生成手段は、指定手段が指定した複数の再生位置をそれぞれ示す複数の画像コードを生成する。文字列情報生成手段は、指定手段が指定した複数の再生位置を示す複数の文字列情報を生成する。生成された画像コードと文字列情報とは、印刷データを生成するための手段により、再生位置ごとに静止画像とともに配置される。印刷手段は、この印刷データを印刷媒体に印刷する。したがって、印刷媒体に印刷された静止画像と文字列情報とにより、動画像の概略をユーザが容易に把握できる。さらに、静止画像及び文字列情報とともに配置された画像コードを、他の装置に読取らせることにより、画像コードを読取った装置では、画像コードから、動画像中の再生位置を特定して何らかの形で利用することが可能となる。
【００２５】
好ましくは、指定手段は、予め定める印刷媒体のサイズをもとに、印刷媒体に印刷できる静止画像数を特定するための静止画像数特定手段と、動画像の再生に要する時間を特定するための時間特定手段と、静止画像数特定手段により特定された静止画像数と動画像の再生に要する時間とをもとに、静止画像数と同数の再生位置を指定するための再生位置指定手段とを含む。
【００２６】
静止画像数特定手段が、印刷媒体のサイズをもとに静止画像数を特定する。時間特定手段が動画像の再生に要する時間を特定する。この静止画像数と再生に要する時間とに基づいて、再生位置指定手段が動画像中の再生位置を指定する。指定された再生位置から静止画像生成手段が静止画像を生成し、印刷データ生成手段及び印刷手段が印刷媒体上に静止画像を配置し印刷する。印刷媒体のサイズに基づいた枚数で、かつ動画像の再生に要する時間に基づいて決定された再生位置から生成された静止画像が印刷媒体に印刷されるので、印刷媒体には、印刷媒体の面積を有効に利用しかつ動画像の概要を容易に理解できるように複数の静止画像が印刷される。
【００２７】
より好ましくは、再生位置指定手段は、静止画像数特定手段により特定された静止画像数と動画像の再生に要する時間とをもとに、再生位置同士の時間間隔を決定するための時間間隔決定手段と、時間間隔決定手段が決定した時間間隔ごとに、静止画像数と同数の再生位置を指定するための手段とを含む。
【００２８】
時間間隔決定手段は、動画像の再生に要する時間をもとに再生位置同士の時間間隔を決定する。動画像から適切な時間間隔で静止画像を生成できるように、時間間隔決定手段が時間間隔を決定する。この時間間隔ごとに、指定するための手段が再生位置を指定するので、より適切な再生位置を自動的に指定して、動画像から印刷することが可能となる。
【００２９】
時間間隔決定手段は、静止画像数と動画像の再生に要する時間とをもとに、再生位置同士が等間隔になるように時間間隔を決定するための手段を含んでもよい。
【００３０】
決定するための手段は、再生位置同士の間隔が等間隔になるように時間間隔を決定する。静止画像生成手段は、指定された等間隔の再生位置ごとに静止画像を生成し、印刷データ生成手段及び印刷手段が生成された静止画像を印刷媒体上に配置して印刷する。印刷された静止画像に対応する再生位置同士の時間間隔が一定であるため、ユーザは、静止画像から容易にその静止画像に対応する再生位置を把握できる。
【００３１】
時間間隔決定手段は、静止画像数と、動画像の再生に要する時間と、動画像受信手段が受信した動画像とをもとに、動画像の変化量に応じて、再生位置同士の時間間隔を決定するための手段を含んでもよい。
【００３２】
決定するための手段は、動画像の変化量に応じて再生位置同士の時間間隔を決定する。これにより、動画像の変化にあわせて適切な静止画像が生成されるように、再生位置が指定される。静止画像生成手段は、指定された再生位置に静止画像を生成し、印刷データ生成手段及び印刷手段が生成された静止画像を印刷媒体上に配置して印刷する。印刷媒体には、動画像の変化量に応じて生成された各静止画像が印刷されるので、ユーザが動画像の概略を、静止画像によって把握しやすくなる。
【００３３】
より好ましくは、時間特定手段は、動画像をもとに、動画像全体の再生に要する時間を特定するための手段を含む。
【００３４】
再生位置指定手段は、特定するための手段により特定された動画像全体の再生に要する時間をもとに、再生位置の指定を行なう。したがって、受信手段が受信した動画像の全体に亘って、動画像を印刷し利用することが可能になる。
【００３５】
より好ましくは、印刷装置はさらに、動画像中の所定区間の開始位置及び終了位置を示す区間情報を取得するための手段を含む。時間特定手段は、区間情報に基づき、所定区間を再生するのに要する時間を特定するための手段を含む。再生位置指定手段は、静止画像数特定手段により特定された静止画像数と所定区間を再生するのに要する時間とをもとに、所定区間内で、静止画像数と同数の再生位置を指定するための手段を含む。
【００３６】
取得するための手段が区間情報を取得すると、特定するための手段が、その区間を再生するのに要するのに必要な時間を特定する。印刷位置指定手段は、その区間内で、静止画像数と同数の再生位置を指定する。静止画像生成手段は、所定区間内の再生位置に対応する静止画像を生成するので、印刷媒体には、所定区間内の再生位置に対応する静止画像が印刷される。区間情報を与えることにより、動画像中の区間情報により特定される区間内の再生位置から集中的に静止画像を生成し印刷することが可能となる。
【００３７】
好ましくは、指定手段は、ユーザによる再生位置同士の時間間隔の設定を受けるための手段と、ユーザにより設定された時間間隔ごとに、複数の再生位置を指定するための手段とを含む。
【００３８】
ユーザから時間間隔の設定を受けると、指定手段は、ユーザにより設定された時間間隔ごとに再生位置を指定する。静止画像生成手段は、指定された再生位置から静止画像を生成するので、印刷媒体には、ユーザにより設定された時間間隔ごとの静止画像が印刷される。ユーザが時間間隔の設定を印刷装置に与えることにより、所望の時間間隔ごとに生成された静止画像を得ることができる。
【００３９】
好ましくは、指定手段は、ユーザによる予め定める印刷媒体に印刷すべき静止画像数の設定を受けるための手段と、動画像の再生に要する時間を特定するための時間特定手段と、ユーザにより設定された静止画像数と動画像の再生に要する時間とをもとに、静止画像数と同数の再生位置を指定するための再生位置指定手段とを含む。
【００４０】
時間特定手段が、動画像の再生に要する時間を特定する。ユーザが印刷装置に、印刷すべき静止画像数の設定を与えると、設定された静止画像数と動画像の再生に要する時間とに基づいて、再生位置指定手段が動画像中の再生位置を指定する。ユーザにより指定された枚数で、かつ動画像の再生に要する時間に基づいて決定された生成位置から生成された静止画像が印刷媒体に印刷されるので、印刷媒体には、所望の枚数で、かつ動画像の概要を容易に理解できるように印刷画像が印刷される。
【００４１】
好ましくは、動画像受信手段は、他の装置から、複数の動画像を受信するための手段を含む。指定手段は、複数の動画像の各々に対し、複数の再生位置を指定するための動画像別指定手段を含む。
【００４２】
受信するための手段は、複数の動画像を受信する。動画像別指定手段は、それら複数の動画像の各々に対し、複数の再生位置を指定する。静止画像生成手段は、それら複数の動画像の各々の、指定された再生位置から静止画像を生成し、印刷データ生成手段及び印刷手段が印刷媒体上に静止画像を配置して印刷する。印刷媒体には、複数の動画像の各々について複数の静止画像が一括して印刷される。よって、複数の動画像を一括して印刷し利用することが可能となる。
【００４３】
より好ましくは、動画像別指定手段は、予め定める印刷媒体のサイズをもとに、当該印刷媒体に印刷できる静止画像数を特定するための静止画像数特定手段と、静止画像数をもとに、複数の動画像の各々に対して、生成すべき静止画像数を割当てるための割当手段と、複数の動画像の各々に対し、割当手段が割当てた生成すべき静止画像数と同数の再生位置を指定するための手段とを含む。
【００４４】
静止画像数特定手段が、印刷媒体のサイズをもとに静止画像数を特定する。この静止画像数に基づいて、割当手段が複数の動画像の各々に対して生成すべき静止画像数を割当てる。複数の動画像の各々に対して、印刷媒体のサイズに基づいて割当てられた枚数で、静止画像が印刷媒体に印刷されるので、印刷媒体には、印刷媒体の面積を有効に利用できるように複数の動画像に対応する静止画像が印刷される。
【００４５】
好ましくは、印刷装置はさらに、他の装置から、所定の時間を示す時間情報を受信するための時間情報受信手段と、動画像受信手段が他の装置から動画像を受信したか、時間情報を受信したかを判定するための判定手段とを含む。指定手段は、判定手段による判定結果に応答して、動画像から静止画像生成手段が静止画像を生成すべき、動画像中の複数の再生位置を指定する動作と、時間情報をもとに、時間情報により示される時間中の複数の時点を指定する動作とを選択的に実行するための選択的指定手段とを含む。印刷データ生成手段は、判定手段の判定結果に応答して、複数の静止画像と画像コードとを、再生位置ごとに配置した印刷データを生成する動作と、複数の画像コードを、指定された時点ごとに配置した印刷データを生成する動作とを選択的に実行するための手段とを含む。
【００４６】
受信手段が動画像を受信した場合、選択的指定手段は、動画像から静止画像生成手段が動画像中の複数の再生位置を指定する。指定された再生位置から静止画像生成手段が静止画像を生成し、当該再生位置を示す画像コードを画像コード生成手段が生成する。印刷媒体上には静止画像と画像コードとが配置され印刷される。時間情報受信手段が時間情報を受信した場合、選択的指定手段は、時間情報をもとに、時間情報により示される時間中の複数の時点を指定する。この場合静止画像は生成されず、画像コード生成手段が指定された時点を示す画像コードを生成する。印刷媒体上には画像コードが配置され印刷される。印刷装置が時間情報を受信した場合にも、印刷された画像コードを他の装置に読取らせることにより、画像コードを読取った装置では、その画像コードから、動画時間により示される時間中の時点を特定し、何らかの形で利用することが可能となる。
【００４７】
より好ましくは、指定手段はさらに、予め定める印刷媒体のサイズをもとに、その印刷媒体に印刷できる画像コード数を特定するための画像コード数特定手段と、予め定める印刷媒体のサイズをもとに、その印刷媒体に印刷できる静止画像数を特定するための静止画像数特定手段とを含む。選択的指定手段は、判定手段の判定結果に応答して、動画像から静止画像生成手段が静止画像を生成すべき静止画像数と同数の再生位置を指定する動作と、時間情報をもとに、時間情報により示される時間中の、画像コード数と同数の時点を指定する動作とを選択的に実行するための手段を含む。
【００４８】
静止画像を印刷するか否かによって、印刷媒体に印刷できる画像コードの数は、静止画像の分だけ異なるものとなる。選択的に実行するための手段は、判定手段による判定結果に応じて、静止画像数と同数の再生位置と画像コード数と同数の時点とを選択的に指定する。画像コード生成手段は、指定された画像コード数の画像コードを生成する。印刷媒体には、印刷媒体のサイズに基づいた数の画像コードが配置され印刷される。よって、静止画像を印刷しない場合においても、印刷媒体の面積を有効に利用できるように、画像コードが印刷される。
【００４９】
動画像は、所定の時間間隔で定められた複数の表示時刻にそれぞれ表示されるべき複数のフレーム画像を定めるデータを含んでもよい。静止画像生成手段は、動画像の、指定手段が指定した複数の再生位置に対しそれぞれ最も近い表示時刻のフレーム画像から静止画像を生成するための手段を含む。
【００５０】
動画像において、所定の時間間隔ごとにフレーム画像を定めるデータを含んでいる場合、指定手段が指定した再生位置が、動画像中の表示時刻と一致するとは限らない。しかし指定手段が指定した複数の再生位置に対して、それぞれ最も近い表示時刻のフレームから生成するための手段が静止画像を生成することにより、再生位置に近い表示時刻に表示されるべきフレーム画像の静止画像が生成され、印刷される。指定手段が指定した再生位置と印刷される静止画像に対応する再生位置との間の差は軽微なものとなる。よって、動画像の概要を容易に理解できるように複数の静止画像を印刷できる。
【００５１】
印刷装置はさらに、印刷データを表示するための手段を含んでもよい。
【００５２】
表示するための手段が生成された印刷データを表示することにより、ユーザは、印刷媒体によってだけでなく、表示された印刷データによっても動画像の概要を理解できる。
【００５３】
本発明の第２の局面に係るコンピュータプログラムは、コンピュータにより実行されると、そのコンピュータを本発明の第１の局面に係る印刷装置として動作させる。したがって、このプログラムをコンピュータで実行することにより、本発明の第１の局面の作用及び効果を、コンピュータで実現することが可能となる。
【００５４】
本発明の第３の局面に係る動画像再生装置は、動画像を保持するための保持手段と動画像中の再生位置を指定する再生位置情報を含み、所定の方法で画像コード化された動画情報を読取るための読取手段と、読取手段が読取った動画情報を復号化するための復号化手段と、復号化手段により復号化された動画情報に基づき、保持手段に保持された動画像の、再生位置情報により指定された再生位置からその動画像を再生するための再生手段とを含む。
【００５５】
保持手段が保持する動画像についての画像コード化された動画情報を読取手段が読取り、復号化手段が復号化する。再生手段は、動画情報に基づいて、保持手段が保持する動画像を、再生位置情報により指定された再生位置から再生する。再生手段による動画像の再生開始位置は、画像コード化された動画情報により決定される。よって、ユーザが読取る動画情報を選択して動画像再生装置に読取らせることにより、動画像再生位置は、保持する動画像について、所望の個所から動画像を再生できる。
【００５６】
好ましくは、保持手段は、所定の識別情報により識別される複数の動画像を保持するための手段を含む。動画情報は、動画像に対応する識別情報と再生位置情報とを含む。再生手段は、復号化手段により復号化された動画情報に基づき、保持するための手段により保持された動画像のうち、識別情報により識別されるものを選択するための動画像選択手段と、復号化手段により復号化された動画情報に基づき、動画像選択手段により選択された動画像の、再生位置情報により指定された再生位置からその動画像を再生するための手段とを含む。
【００５７】
動画像選択手段は、復号化手段が復号化した動画情報に含まれる識別情報に基づき、保持するための手段が保持している動画像の中から再生すべきものを特定する。特定された動画像は、再生位置情報により指定された再生位置から再生される。よって、ユーザは、画像コードを選んで読取手段に読取らせることにより、動画像再生装置に所望の動画像を所望の個所から再生させることができる。
【００５８】
保持するための手段は、動画像の名称により識別される複数の動画像を保持するための名称別動画像保持手段を含んでもよい。
【００５９】
動画像は、所定時間間隔で定められた複数の表示時刻にそれぞれ表示されるべき複数のフレーム画像を定めるデータを含んでもよい。再生手段は、復号化手段により復号化された動画情報に基づき、保持手段に保持された動画像の、再生位置情報により指定された再生位置の後であってかつ再生位置に最も近い表示時刻に対応するフレーム画像からその動画像を再生するための手段を含む。
【００６０】
動画像において、所定時間間隔ごとにフレーム画像を定めるデータを含んでいる場合、動画情報により示される再生位置が動画像中の表示時刻に対応するものであるとは限らない。しかし、動画情報により示される再生位置に対応するフレーム画像がない場合には、再生するための手段は、指定された再生位置の後でかつその再生位置に最も近い表示時刻に対応するフレーム画像から動画像の再生を開始する。指定された再生位置と実際に再生が開始される再生位置との差異は軽微なものとなる。よって、動画像再生装置は、画像コード化された動画情報を読取ることにより、指定された再生位置に矛盾しない再生位置から、動画像の再生を開始できる。
【００６１】
好ましくは、動画像再生装置はさらに、他の装置に対して保持手段に保持された動画像を送信するための送信手段を含む。
【００６２】
送信手段は、保持手段が保持する動画像を他の装置に送信する。よって、送信された動画像を受信した装置では、受信した動画像すなわち保持手段が保持する動画像に関して何らかの処理を行なうことが可能となる。
【００６３】
より好ましくは、保持手段は、所定の識別情報により識別される複数の動画像を保持するための手段を含む。送信手段は、動画像とその動画像に対応する識別情報とを他の装置に送信するための手段を含む。
【００６４】
動画像と識別情報とを保持し、他の装置に送信すると、それらを受信した装置は、識別情報によって動画像を識別して、その動画像に関する何らかの処理を行なうことが可能となる。
【００６５】
動画像の二次的利用が禁止されることがあってもよい。送信手段は、保持手段に保持された動画像の二次的利用が禁止されているか否かを判定するための判定手段と、判定手段により二次的利用が禁止されていないと判定された動画像を他の装置に送信するための動画像送信手段と、判定手段により二次的利用が禁止されていると判定された動画像の再生に要する時間を特定し、特定した再生に要する時間を示す動画時間情報を他の装置に送信するための動画時間情報送信手段とを含む。
【００６６】
保持手段が保持している動画像が著作権保護のために二次的利用が禁止されているために、送信手段が動画像自体を他の装置に送信できない場合がある。保持手段が保持する動画像が二次的利用の禁止されているものに該当するか否かを判定手段が判定し、該当すると判定された場合には、動画時間情報送信手段が動画像の再生に要する時間を特定し、その時間を示す動画時間情報を送信する。動画時間情報を受信した装置は、受信した動画時間情報をもとに保持手段が保持する動画像について、動画像の再生に要する時間に関する何らかの処理を行なうことが可能となる。
【００６７】
本発明の第４の局面に係るコンピュータプログラムは、コンピュータにより実行されると、そのコンピュータを本発明の第３の局面に係る動画像再生装置として動作させる。したがって、このプログラムをコンピュータで実行することにより、本発明の第３の局面の作用及び効果を、コンピュータで実現することが可能となる。
【００６８】
本発明の第５の局面に係る動画像印刷装置は、動画像を保持するための保持手段と、保持手段に保持された動画像の二次的利用が禁止されているか否かを判定するための判定手段と、判定手段により二次的利用が禁止されていないと判定された動画像を他の装置に送信するための動画像送信手段と、判定手段により二次的利用が禁止されていると判定された動画像の再生に要する時間を特定し、特定した再生に要する時間を示す動画時間情報を他の装置に送信するための動画時間情報送信手段とを含む。
【００６９】
動画像は、二次的利用が禁止されているために、他の装置に送信できない場合がある。保持手段が保持する動画像が二次的利用の禁止されているものに該当するか否かを判定手段が判定する。二次的利用が禁止されていない動画像である場合、動画像送信手段が動画像を他の装置に送信する。動画像を受信した装置は、受信した動画像すなわち保持手段が保持する動画像に関する何らかの処理を行なうことができる。また、二次的利用が禁止されていると判定された場合には、動画時間情報送信手段が動画像の再生に要する時間を特定し、その時間を示す動画時間情報を送信する。この場合、動画時間情報を受信した装置は、受信した動画時間情報をもとに保持手段が保持する動画像について、動画像の再生に要する時間に関する何らかの処理を行なうことが可能となる。
【００７０】
本発明の第６の局面に係るコンピュータプログラムは、コンピュータで実行されると、そのコンピュータを本発明の第５の局面に係る動画像送信装置として動作させる。したがって、このプログラムをコンピュータで実行することにより、本発明の第５の局面の作用及び効果を、コンピュータで実現することが可能となる。
【００７１】
本発明の第７の局面に係る記録媒体は、本発明の第２の局面、第４の局面、及び第６の局面のいずれかに記載のコンピュータプログラムを記録した、コンピュータで読出可能な記録媒体である。
【００７２】
この記録媒体に記録されたコンピュータプログラムをコンピュータで読出し実行することにより、上記した作用及び効果を奏することが可能となる。
【００７３】
本発明の第８の局面に係る動画像印刷システムは、動画像を保持するための手段と動画像を送信するための送信手段とを含む動画像送信装置と、本発明の第１の局面に係る印刷装置とを含む。
【００７４】
動画像を保持し送信することができる動画像送信装置が、印刷装置に動画像を送信すると、印刷装置は、動画像を受信し、動画像をもとに複数の静止画像を生成し、所定の順序で配置して印刷媒体に印刷する。ユーザは、動画像送信装置が保持する動画像を印刷装置に送信するだけで、適切な配置で印刷された複数の静止画像を得ることが可能となる。
【００７５】
本発明の第９の局面に係る動画像再生システムは、第１の局面に係る印刷装置と、第３の局面に係る動画像再生装置とを含む。印刷装置はさらに、指定手段が指定した複数の再生位置をそれぞれ示す複数の画像コードを生成するための画像コード生成手段を含む。印刷装置の印刷データ生成手段は、複数の静止画像と複数の画像コードとを、再生位置ごとに配置した印刷データを生成するための画像コード印刷データ生成手段を含む。動画像再生装置はさらに、他の装置に対して保持手段に保持された動画像を送信するための送信手段を含む。動画像再生装置は、印刷装置により印刷される、画像コード化された情報を読取る。
【００７６】
動画像再生装置が、保持している動画像を印刷装置に送信すると、印刷装置は、動画像再生装置から動画像を受信しその中の複数の再生位置にそれぞれ対応する複数の静止画像及びその再生位置を示す画像コードを生成し、再生位置ごとに配置して印刷媒体に印刷する。印刷された静止画像のうちの一つをユーザが選択して、その静止画像に対応する画像コードを、動画像再生装置が読取ると、動画像再生装置は、画像コードをもとに、保持手段が保持する動画像中の、静止画像に対応する再生位置を特定し、その再生位置から動画像の再生を開始する。したがって、動画像をユーザが所望する場面から容易に再生を開始することを可能にでき、便利性が向上する。
【００７７】
本発明の第１０の局面に係る動画像印刷システムは、本発明の第１の局面に係る印刷装置と、第５の局面に係る動画像送信装置とを含む。印刷装置はさらに、指定手段が指定した複数の再生位置をそれぞれ示す複数の画像コードを生成するための画像コード生成手段を含む。印刷データ生成手段は、複数の静止画像と複数の画像コードとを、再生位置ごとに配置した印刷データを生成するための画像コード印刷データ生成手段を含む。印刷装置はさらに、他の装置から、所定の時間を示す時間情報を受信するための時間情報受信手段と、動画像受信手段が他の装置から動画像を受信したか、時間情報を受信したかを判定するための判定手段とを含む。指定手段は、判定手段による判定結果に応答して、動画像から静止画像生成手段が静止画像を生成すべき、動画像中の複数の再生位置を指定する動作と、時間情報をもとに、時間情報により示される時間中の複数の時点を指定する動作とを選択的に実行するための選択的指定手段とを含む。印刷データ生成手段は、判定手段の判定結果に応答して、複数の静止画像と、画像コードとを、再生位置ごとに配置した印刷データを生成する動作と、複数の画像コードを、再生位置ごとに配置した印刷データを生成する動作とを選択的に実行するための手段とを含む。
【００７８】
動画像送信装置は、保持している動画像の二次的利用が可能である場合に限り、動画像を印刷装置に送信する。この場合印刷装置は、動画像を受信し、その動画像をもとに複数の静止画像を生成して印刷する。これにより、二次的利用が可能な動画像について、静止画像の場合と同様に印刷媒体に印刷して利用することが可能となる。動画像の二次的利用が不可能である場合、動画像送信装置は、動画像に代り、動画像の再生に要する時間を示す時間情報を印刷装置に送信する。印刷装置は、これに応答して時間情報が示す時間中の複数の時点を示す画像コードを生成し印刷する。動画像を保持する装置に印刷された画像コードを読取らせることにより、動画像の不正な送受信を行なうことなく、画像コードを読取った装置は、保持している動画像中の再生位置を特定して何らかの処理を行なうことが可能となる。よって、動画像を適切にかつ便利に利用することが可能となる。
【発明の効果】
【００７９】
本発明の第１の局面によると、印刷装置が、動画像を受信し、複数の再生位置について複数の静止画像をそれぞれ生成し、配置して印刷することにより、他の装置が保持する動画像を印刷し利用することが可能となる。また、画像コードにより、画像コードを読取った装置が、静止画像に対応する画像コードから、動画像中の再生位置を特定して利用することが可能となる。また、時間情報を受信した場合にも、その画像コードにより、動画時間により示される時間中の時点を特定し、何らかの形で利用することが可能となる。さらに識別情報を併せて画像コード化することにより、画像コードを読取った装置が動画像を特定できる。また、静止画像と文字列情報とによって動画像の概略をユーザが容易に把握できる。
【００８０】
また、印刷媒体に、印刷媒体の面積を有効に利用しかつ動画像の概要を容易に理解できるように複数の静止画像が印刷できる。この際、静止画像から容易にその静止画像に対応する再生位置を把握可能にできる。また、動画像の変化の概略を、静止画像によって把握可能にできる。さらに、ユーザによる設定に応じて、所望の時間間隔ごとに、所望の枚数、又は動画像中の指定された区間内から集中的に、動画像から静止画像を生成して印刷できる。
【００８１】
さらに、印刷装置は、複数の動画像の各々から複数の静止画像を一括して生成し印刷できる。また適切な数の静止画像を動画像ごとに割当て、印刷媒体の面積を有効に利用できるように静止画像がそれぞれ印刷できる。また、他の装置においてユーザが把握する再生位置に矛盾せずに時間的再生位置を特定させることも可能となる。
【００８２】
本発明の第３の局面によると、所望の位置から動画像を再生することが可能になる。さらに動画像の中から再生すべきものを特定することもできる。さらに、動画像再生装置は動画情報により指定された再生位置に矛盾せずに、動画像の再生を開始できる。また、保持する動画像を他の装置に送信し、他の装置において保持する動画像に関する処理を行なうことを可能にできる。識別情報により、他の装置において動画像を特定して処理を行なうことを可能にできる。さらに、二次的利用が禁止された動画像についても、動画時間情報をもとに動画像についての処理を他の装置が行なうことを可能にできる。
【００８３】
本発明の第５の局面によると、二次的利用が禁止された動画像については、他の装置に動画時間情報を送信することにより、動画時間情報をもとに動画像についての処理を他の装置が行なうことを可能にできる。
【００８４】
本発明の第８の局面によると、動画像を保持する動画像装置が、印刷装置に動画像を送信することにより、動画像をもとに複数の静止画像を生成し、所定の順序で配置し印刷媒体に印刷できる。ユーザが動画像を印刷装置に送信するだけで、適切な配置で動画像についての複数の静止画像を得ることを可能にできる。
【００８５】
本発明の第９の局面によると、動画像をユーザが所望する場面から容易に再生を開始することができ、便利性が向上する。
【００８６】
本発明の第１０の局面によると、印刷される画像コードを、その動画像を保持する装置が読取ることにより、動画像を不正に送信することなく、動画像中の再生位置を特定して処理を行なうことが可能となる。よって、動画像を適切にかつ便利に利用することが可能となる。
【発明を実施するための最良の形態】
【００８７】
［第１の実施の形態］
以下、図面を参照しつつ、本発明の一実施の形態を説明する。なお、以下の説明に用いる図面では、同一の部品に同一の符号を付してある。それらの名称及び機能も同一である。したがって、それらについての詳細な説明は繰返さない。
【００８８】
図１に、本実施の形態に係るシステム５０の構成を概略的に示す。図１を参照して、システム５０は、動画像を保持し再生する動画像再生機能、動画像を送信する動画像送信機能、及びバーコード化された情報を読取る機能を有する携帯電話６０と、データを受信するデータ受信機能、及び受信したデータを印刷媒体６４に印刷する印刷装置の機能を有する複写機６２とを含む。携帯電話６０は、カメラと表示装置と通信装置とを備えたものであり、典型的にはカメラ付携帯電話である。
【００８９】
携帯電話６０と複写機６２とは、赤外線等の通信媒体５２を介して互いに通信を行なう。携帯電話６０は、通信媒体５２を介して複写機６２に、動画像とその動画像を識別するための動画像名とを送信する。複写機６２は、受信した動画像をもとに複数の静止画像とそれらの静止画像に対応する動画情報とを生成し、印刷媒体６４に印刷する。ここで生成される動画情報は、文字列情報と携帯電話６０で読取可能なバーコードとに形成されて印刷される。携帯電話６０は、印刷媒体６４に印刷されたバーコードを読取り、保持している動画像を読取った情報に基づいて再生する。
【００９０】
図２に、携帯電話６０が保持する動画像と、複写機６２が印刷媒体６４に印刷する静止画像と、携帯電話６０が再生する動画像との関係を概略的に示す。図２を参照して、携帯電話６０が動画像８０を保持しているものとする。動画像８０は、再生されると時間の経過に伴い表示される画像が遷移する。表示される画像はそれぞれ、再生開始時点の時刻８６Ａを０とする相対時刻の情報（以下、この時刻を「動画時刻」と呼ぶ。）８２によって特定される。例えば、再生開始時点の動画時刻８６Ａにより、当該時点で表示される画像として画像８８Ａが特定される。なお、再生開始時点の動画時刻８６Ａを本明細書では、動画開始時刻と呼ぶ。
【００９１】
携帯電話６０が動画像８０とその動画像名とを複写機６２に送信する。複写機６２は、動画像８０を受信すると、まず、複写機６２に予めセットされている印刷媒体６４のサイズ（以下、「用紙サイズ」と呼ぶ。）を特定し、特定した用紙サイズをもとに生成する静止画像数を決定する。複写機６２はさらに、受信した動画像８０をもとに動画像８０全体の再生に要する時間（以下、「動画時間」と呼ぶ。）を特定し、動画時間と静止画像数とをもとに、印刷すべき静止画像に対応する動画時刻を指定するための時間間隔（以下、「静止画像時間間隔」と呼ぶ。）８４を決定する。
【００９２】
複写機６２は、動画開始時刻８６Ａから順に、決定した時間間隔８４ごとに複数の動画時刻８６Ａ，８６Ｂ，…８６Ｎを指定する。複写機６２は、動画像８０から指定した動画時刻（以下、この動画時刻を「指定時刻」と呼ぶ。）８６Ａ，８６Ｂ，…８６Ｎに対応する静止画像８８Ａ，８８Ｂ，…，８８Ｎを生成するとともに、動画像名と指定時刻とからなる動画情報を生成して文字列情報化及びバーコード化する。複写機６２は、生成した静止画像と、文字列情報化した動画情報と、バーコード化した動画情報とを、指定時刻ごとにまとめて指定時刻順に配置し、印刷媒体６４に印刷する。
【００９３】
携帯電話６０のユーザが、印刷媒体６４に印刷された静止画像８８Ａ，…，８８Ｎの一つ（例えば、静止画像８８Ｃ）を選択し、静止画像に対応する位置に配置されたバーコードを携帯電話６０で撮影すると、携帯電話６０は、撮影したバーコードを読取り動画情報を復号化する。携帯電話６０は、復号化した動画情報に含まれる動画像名をもとに、再生すべき動画像すなわち複写機６２に送信した動画像８０を特定する。また、動画情報に含まれる指定時刻と動画像８０における動画時刻とをもとに、動画像８０において再生を開始すべき位置を特定する。携帯電話６０は、特定した位置から動画像の再生を開始する。例えばユーザが静止画像８８Ｃを選択してバーコードを撮影すると、携帯電話６０において再生される動画像９０は、静止画像８８Ｃに対応する動画時刻８６Ｃから開始されるものとなる。
【００９４】
図３に、本実施の形態に係る携帯電話６０の機能的構成をブロック図形式で示す。図３を参照して、携帯電話６０は、動画像を保持する動画像記憶部１０４と、ユーザによる選択入力を受けるためのＵＩ（ユーザ・インタフェース）を実現する動画像選択入力部１００と、動画像選択入力部１００が受けた選択入力に基づき、動画像記憶部１０４に保持された動画像を選択する動画像選択部１０２とを含む。動画像記憶部１０４は、動画像選択部１０２による選択の結果に応じて保持する動画像を出力する機能を有する。携帯電話６０はさらに、動画像記憶部１０４が出力した動画像を識別するための動画像名を生成する動画像名生成部１０６と、通信媒体５２を介して、動画像記憶部１０４が出力した動画像と動画像名生成部１０６が生成した動画像名とを複写機６２に送信する動画像送信部１０８とを含む。
【００９５】
携帯電話６０はさらに、印刷媒体６４（図１参照）に印刷されたバーコードを取得するバーコード読取部１１０と、取得したバーコードを解析して再生すべき動画に関する動画情報を復号化するバーコード解析部１１２と、バーコード解析部１１２から動画情報を受け、動画情報に含まれる動画像名と動画時刻とをそれぞれ出力する動画情報処理部１１４とを含む。
【００９６】
動画像選択部１０２は、ユーザによる選択入力だけでなく、動画情報処理部１１４が出力する動画像名に基づいて、動画像記憶部１０４に保持された動画像を選択する機能を有する。
【００９７】
携帯電話６０はさらに、動画像記憶部１０４が出力する動画像を、動画情報処理部１１４による指定時刻の出力に応答して取得し、その動画像の再生を開始する位置の動画時刻を指定時刻に基づいて特定する動画像再生処理部１１６と、動画像再生処理部１１６が取得した動画像を、動画像再生処理部１１６が特定した動画時刻から再生する動画像再生部１１８とを含む。
【００９８】
図４に、本実施の形態に係る複写機６２の機能的構成をブロック図形式で示す。図４を参照して、複写機６２は、通信媒体５２（図１参照）を介して携帯電話６０からデータを受信して解析する受信データ解析部１４０を含む。受信データ解析部１４０は、受信したデータから動画像と動画像名とを取得し、さらに取得した動画像の動画時間を生成する機能を有する。
【００９９】
複写機６２はさらに、複写機６２が印刷に用いる印刷媒体６４のサイズと静止画像数との関係を示す情報を格納した用紙サイズ判定テーブル１４２と、用紙サイズ判定テーブル１４２に格納された情報と受信データ解析部１４０が生成した動画時間とをもとに、静止画像数と静止画像時間間隔とを決定する静止画像時間間隔算出部１４４と、受信データ解析部１４０が生成した動画像名を文字列情報に適合したデータとバーコードに適合したデータとに変換する動画像名形成部１４６とを含む。
【０１００】
複写機６２は、受信データ解析部１４０が取得した動画像と静止画像時間間隔算出部１４４が決定した静止画像時間間隔とをもとに、指定時刻に対応する静止画像を順次生成する静止画像生成部１４８と、動画像名形成部１４６が変換した動画像名と静止画像時間間隔算出部１４４が算出した静止画像時間間隔とをもとに、指定時刻に対応する動画情報を順次生成して文字列情報化する印刷文字列生成部１５０と、動画像名形成部１４６が変換した動画像名と静止画像時間間隔算出部１４４が算出した静止画像時間間隔とをもとに、指定時刻に対応する動画情報を生成してバーコード化するバーコード生成部１５２とを含む。
【０１０１】
複写機６２はさらに、静止画像生成部１４８、印刷文字列生成部１５０、及びバーコード生成部１５２がそれぞれ生成した静止画像、文字列情報、及びバーコードを、静止画像時間間隔及び静止画像数に基づいて配置し、印刷媒体６４に印刷するための印刷するデータ（以下、「印刷データ」と呼ぶ。）を生成する印刷データ生成部１５４を含む。複写機６２はさらに、印刷データをプレビュー表示する印刷データ表示部１５６と、印刷データを印刷媒体６４に印刷する印刷部１５８とを含む。複写機６２はさらに、動画像の受信を命令するための入力及び印刷媒体６４への印刷出力を命令するための入力をユーザより受け、受信データ解析部１４０及び印刷データ生成部１５４に入力信号をそれぞれ与えるユーザ・インタフェース部１６０を含む。
【０１０２】
図５に、本実施の形態に係る印刷媒体６４に印刷される情報の一例を示す。図５を参照して、印刷媒体６４に印刷される情報は、複数の静止画像１８０Ａ，１８０Ｂ，…と、静止画像にそれぞれ対応するバーコード１８２Ａ，１８２Ｂ，…、及び文字列情報１８４Ａ，１８４Ｂ，…，とを含む。静止画像１８０Ａ，１８０Ｂ，…はそれぞれ、複写機６２が受信した動画像から、静止画像時間間隔ごとに生成した画像である。文字列情報１８４Ａ，１８４Ｂ，…はそれぞれ、動画像名と静止画像に対応する指定時刻とを示す。例えば、文字列情報１８４Ａは、静止画像１８０Ｂが動画像名「スイング」という動画像の指定時刻０．１０秒において表示される画像であることを示す。図５に示す印刷媒体６４に印刷すべき静止画像数は、印刷媒体６４の用紙サイズと図４に示す用紙サイズ判定テーブル１４２とにより定められる。また、図５に示すバーコード１８２Ａ，１８２Ｂ，…は、バーコード生成部１５２が静止画像時間間隔と静止画像名とをもとに生成し、バーコード化した情報である。
【０１０３】
図６に、用紙サイズ判定テーブル１４２の一例を示す。図６を参照して、用紙サイズ判定テーブル１４２は、用紙サイズ２０２ごとに、当該サイズの用紙に印刷すべき静止画像数を示す静止画像数２０４を格納したテーブル形式の情報である。例えば印刷媒体６４の用紙サイズが「Ｂ５」である場合、静止画像数は「１８」となる。
【０１０４】
図７に、複写機６２のバーコード生成部１５２（図４参照）が生成し、図５に示すバーコード１８２Ａ，１８２Ｂ，…にバーコード化する動画情報の一例を示す。図７を参照して、動画情報２２０は、動画像名２２２と指定時刻２２４とを含む。図７に示す例では、指定時刻２２４は、ミリ秒単位で動画時刻を示す。この例では、この動画情報が示す指定時刻２２４は１０００ミリ秒である。この動画情報のバーコードと対応して印刷される静止画像は、動画像の、動画時刻上１０００ミリ秒の時点で表示される画像となる。携帯電話６０は、図５に示すバーコード１８２Ａ，１８２Ｂ，…を読取り復号化して、動画情報２２０を取得すると、携帯電話６０は、動画像名「スイング」の動画像の動画時刻１０００ミリ秒以降の部分を再生する。
【０１０５】
本実施の形態に係る携帯電話６０は、コンピュータを内蔵したハードウェアと、そのハードウェアにより実行されるプログラムと、ハードウェアに格納されるデータとにより実現される。図８及び図９に、携帯電話６０の外観の正面及び背面の一例を示す。また、図１０に、携帯電話６０の内部構成を示す。
【０１０６】
図８を参照して、携帯電話６０は、ＬＣＤ（Ｌｉｑｕｉｄ  Ｃｒｙｓｔａｌ  Ｄｉｓｐｌａｙ）等からなる表示部２４０と、複数の数字キー及び方向キー等からなる入力部２４２を含む。図９を参照して、携帯電話６０はさらに、動画像及びバーコード等の撮影に用いるカメラ２４４と、赤外線等を介して通信を行なうための通信部２４６とを含む。
【０１０７】
図１０を参照して、携帯電話６０はさらに、ＣＰＵ（中央処理装置）２５０と、表示部２４０、入力部２４２、カメラ２４４、通信部２４６、及びＣＰＵ２５０に接続されたバス２５２と、バス２５２に接続され、ブートアッププログラム等を記憶する不揮発性の読出専用メモリ（ＲＯＭ）２５４と、バス２５２に接続され、プログラム命令、システムプログラム、及び作業データ等を記憶する揮発性のランダムアクセスメモリ（ＲＡＭ）２５６とを含む。携帯電話６０はさらに、携帯電話６０の各部の実行環境を制御する処理部２５８を含む。
【０１０８】
携帯電話６０の機能を実現するためのプログラムは、ＲＯＭ２５４に記憶される。又は、プログラムは通信部２４６を介して携帯電話６０が受信してもよい。プログラムは、実行の際にＲＯＭ２５４からＲＡＭ２５６にロードされる。又は通信部２４６を介して受信し、直接にＲＡＭ２５６にプログラムをロードしてもよい。
【０１０９】
本実施の形態に係る複写機６２は、コンピュータを内蔵したハードウェアと、そのハードウェアにより実行されるプログラムと、ハードウェアに格納されるデータとにより実現される。図１１に、複写機６２の内部構成を示す。図１１を参照して、複写機６２は、表示部２８０と、入力部２８２と、印刷媒体６４にデータの印刷を行なう印刷部２８４と、赤外線等の通信媒体５２を介してデータの授受を行なう通信部２８６とを含む。複写機６２はさらに、ＣＰＵ２９０と、表示部２８０、入力部２８２、印刷部２８４、通信部２８６、及びＣＰＵ２９０に接続されたバス２９２と、バス２９２に接続された不揮発性のＲＯＭ２９４と、バス２５２に接続された揮発性のＲＡＭ２９６とを含む。複写機６２はさらに、複写機６２の各部の実行環境を制御する処理部２９８を含む。複写機６２はさらに、一般的な複写機と同様に、複写する対象の画像を読取る、図示しないスキャナを含む。
【０１１０】
複写機６２の機能を実現するためのコンピュータプログラムは、ＲＯＭ２９４に記憶される。又は、コンピュータプログラムは通信部２８６を介して複写機６２が受信してもよい。プログラムは、実行の際にＲＯＭ２９４から、又は通信部２８６を介して受信し、直接にＲＡＭ２９６にロードされる。
【０１１１】
本実施の形態に係るシステム５０の各装置の各機能を上記したハードウェアにより実現するためのプログラムは、コンピュータにこれらの装置の図３及び図４に示す各機能部を実現させる複数の命令を含む。これらの機能部を実現するのに必要な基本的機能のいくつかは、これらの装置のハードウェア上でそれぞれ動作するＯＳ又はサードパーティのプログラム等により提供される。したがって、それら各機能部を実現するのに必要な機能全てを必ずしも含まなくてよい。プログラムは、命令のうち、所望の結果が得られるように制御されたやり方で適切な機能を呼出すことにより、上記した機能を実現する命令のみを含んでいればよい。コンピュータ自体の動作は周知であるので、ここでは繰返さない。
【０１１２】
本実施の形態に係る携帯電話６０は、ユーザの選択入力に応じて動画像のデータを送信する動画像送信処理と、印刷媒体６４に印刷されたバーコードを読取り動画像の再生を行なう動画像再生処理とを実行する。図１２は、動画像送信処理の制御構造を示すフローチャートである。図１３は、動画像再生処理の制御構造を示すフローチャートである。
【０１１３】
図１２を参照して、動画像送信処理３２０が開始されると、ステップ（以下、単に「Ｓ」と表記する。）３２２において、複写機６２へ動画像の送信を指示する選択入力をユーザより受ける。Ｓ３２４では、ユーザによる動画像の選択入力に応じて、保持する動画像の中から複写機６２に送信すべきものを選択する。Ｓ３２６では、Ｓ３２４で選択した動画像の動画像名を生成する。すでに動画像名が動画像とともに保持されている場合には、ともに保持された動画像名を、送信する動画像名として用いる。続くＳ３２８では、Ｓ３２４で選択した動画像とＳ３２６で生成した動画像名とを複写機６２に送信し、動画像送信処理３２０を終了する。
【０１１４】
図１３を参照して、動画像再生処理３４０が開始されると、Ｓ３４２において、印刷媒体６４に印刷されたバーコードを図１０に示すカメラ２４４を用いて撮影してバーコードを読取る。Ｓ３４４では、バーコードから動画情報を復号化し、再生すべき動画像の動画像名及び指定時刻を取得する。Ｓ３４６では、取得した動画像名をもとに、保持している動画像の中から再生すべきものを選択して読出す。Ｓ３４８では、取得した指定時刻に基づきＳ３４６で読出した動画像の再生開始位置を特定する。Ｓ３５０では、特定した再生開始位置より、読出した動画像の再生を行ない、動画像再生処理３４０を終了する。
【０１１５】
図１４は、複写機６２が行なう処理の制御構造を示すフローチャートである。図１４を参照して、複写機６２の処理３６０が開始されると、Ｓ３６２において動画像に基づく印刷媒体への印刷を指示する選択入力をユーザより受ける。Ｓ３６４では、携帯電話６０からのデータの受信を待つ。携帯電話６０からデータを受信するとＳ３６６に進む。Ｓ３６６では、受信したデータについての印刷開始を命令する選択入力をユーザから受ける。Ｓ３６８では、Ｓ３６４で受信したデータについて、静止画像、バーコード、及び文字列情報を生成して配置し、印刷データを生成する動画像処理を実行する。なお、Ｓ３６８の詳細については後述する。
【０１１６】
Ｓ３７０では、Ｓ３６８で生成した印刷データを図１１に示す表示部２８０にプレビュー表示する。Ｓ３７２では、プレビュー表示した印刷データを印刷するか否かの選択入力をユーザより受ける。選択入力が印刷するというものであればＳ３７４に進む。さもなければ、複写機６２の処理を終了する。この場合、印刷データは印刷媒体６４に印刷されない。Ｓ３７４では、印刷データを印刷媒体６４に印刷し、複写機６２の処理３６０を終了する。
【０１１７】
図１５は、図１４に示すＳ３６８において実行される動画像処理の制御構造を示すフローチャートである。図１５を参照して、動画像処理３９０が開始されると、Ｓ３９２において静止画像数及び静止画像時間間隔を決定する処理を実行する。この処理の詳細については、図１６を用いて後述する。
【０１１８】
Ｓ３９４では、動画像の開始時点の動画時刻である動画開始時刻を、１番目の指定時刻として設定し、静止画像の生成を開始する。Ｓ３９６では、指定時刻へ動画像を遷移させる。Ｓ３９８では、Ｓ３９６で遷移させた動画像をもとに、指定時刻に対応する静止画像を生成する。Ｓ４００では、指定時刻及び受信したデータに含まれる動画像名をもとに、静止画像に対応する動画情報を生成し、バーコード化する。Ｓ４０２では、Ｓ４００で生成した動画情報をもとに、静止画像に対応する文字列情報を生成し、Ｓ４０４に進む。
【０１１９】
Ｓ４０４では、生成すべき静止画像の生成が全て完了したか否かを判定する。生成が完了しているならばＳ４０８に進む。さもなければＳ４０６に進む。Ｓ４０６では、指定時刻とＳ３９２で決定した静止画像時間間隔とをもとに、次の静止画像についての指定時刻を設定してＳ３９６に戻る。Ｓ３９６からＳ４０６までの一連のステップを繰返して、全ての指定時間について静止画像、並びに対応するバーコード及び文字列を生成する。Ｓ４０４において静止画像の生成が完了したと判定されるとＳ４０８に進む。Ｓ４０８では、生成した静止画像、バーコード、及び文字列情報を印刷するためのレイアウトを生成して動画像処理３９０を終了する。処理は、図１４に示すＳ３７０に進む。
【０１２０】
図１６に、図１５のＳ３９２において実行される静止画像数及び静止画像時間間隔の決定処理の詳細を示す。図１６を参照して、決定処理４２０が開始されると、Ｓ４２２において、複写機６２にセットされた用紙のサイズを特定する。Ｓ４２４では、用紙サイズ判定テーブル１４２（図６参照）を参照し、Ｓ４２２で特定した用紙サイズに対応する静止画像数ｎを特定する。Ｓ４２６では、受信した動画像における動画時刻に基づき、動画像の再生に要する動画時間ｔを生成する。Ｓ４２８では、静止画像数ｎと、動画時間ｔとから、静止画像時間間隔ｔ＿ｎ＝ｔ／（ｎ−１）を算出する。Ｓ４３０では、動画開始時刻０秒を１番目の指定時刻ｔ＿０として特定し、処理を終了する。
【０１２１】
本実施の形態に係るシステム５０の図３及び図４に示す各機能部は、以下のように動作する。
【０１２２】
図４を参照して、ユーザが複写機６２のユーザ・インタフェース部１６０に所定の入力を行なうと、ユーザ・インタフェース部１６０は、入力信号を受信データ解析部１４０に与える。受信データ解析部１４０は入力信号に応答して、データの待受を開始する。
【０１２３】
一方、図３を参照して、ユーザが携帯電話６０の動画像選択入力部１００に対して動画像の送信を選択する入力を行なうと、動画像選択入力部１００は、所定の入力信号を動画像選択部１０２に与える。動画像選択部１０２は、ユーザが動画像を選択するための情報を動画像選択入力部１００に与える。動画像選択入力部１００は、動画像選択部１０２から受けた情報をＵＩ上で表示し、ユーザによる動画像の選択入力を受ける。動画像選択入力部１００は、選択入力に対応する信号を動画像選択部１０２に与える。
【０１２４】
動画像選択部１０２は、動画像選択入力部１００からの信号に応答して、ユーザにより選択された動画像の出力命令を動画像記憶部１０４に与える。動画像記憶部１０４は、ユーザにより選択された動画像の出力命令に応答して、保持している動画像の中から選択されたものを検索して読出し、動画像送信部１０８に与える。また動画像記憶部１０４は、検索した動画像の動画像名を動画像名生成部１０６に与える。なお、動画像に対応する動画像名がない場合、動画像名がないことを示す信号を動画像名生成部１０６に与える。
【０１２５】
動画像名生成部１０６は、動画像記憶部１０４から動画像名を受けてその動画像名を動画像送信部１０８に与える。動画像記憶部１０４から動画像名がないことを示す信号を受けた場合、動画像名生成部１０６は、動画像名を生成し、生成した動画像名を動画像送信部１０８に与える。この場合、動画像名生成部１０６は、動画像名を動画像記憶部１０４に保持させる。動画像送信部１０８は、動画像記憶部１０４から動画像を受け、かつ動画像名生成部１０６から動画像名を受けたことに応答して、動画像及び動画像名を通信媒体５２を介して複写機６２に送信する。
【０１２６】
この時点で、図４に示す複写機６２の受信データ解析部１４０は、動画像のデータの待受状態にある。複写機６２の受信データ解析部１４０は、通信媒体５２を介して携帯電話６０よりデータを受信すると、そのデータを解析して動画像と動画像名とを取得する。受信データ解析部１４０は、取得した動画像を静止画像生成部１４８に、取得した動画像名を動画像名形成部１４６にそれぞれ与える。受信データ解析部１４０はさらに、取得した動画像の動画時刻をもとに動画時間ｔを特定する。受信データ解析部１４０は特定した動画時間ｔを静止画像時間間隔算出部１４４に与える。
【０１２７】
静止画像時間間隔算出部１４４は、受信データ解析部１４０から動画時間ｔを受けたことに応答して、複写機６２にセットされている用紙のサイズを確認する。なお、複写機６２には予め用紙がセットされており、静止画像時間間隔算出部１４４には、用紙のサイズを特定する情報が設定されているものとする。静止画像時間間隔算出部１４４は、確認した用紙のサイズと用紙サイズ判定テーブル１４２とを照合して静止画像数ｎを決定する。例えば、複写機６２にセットされている印刷用紙が「Ｂ５」というサイズであった場合、図６に示す用紙サイズ判定テーブル１４２により、このサイズの用紙に印刷すべき静止画像数ｎは「１８」であると決定される。
【０１２８】
静止画像時間間隔算出部１４４は、動画時間ｔを決定した静止画像数ｎとをもとに、静止画像時間間隔ｔ＿ｎ＝ｔ／（ｎ−１）を算出する。静止画像時間間隔算出部１４４は、静止画像数ｎ及び静止画像時間間隔ｔ＿ｎを、静止画像生成部１４８、印刷文字列生成部１５０、バーコード生成部１５２、及び印刷データ生成部１５４にそれぞれ与える。
【０１２９】
動画像名形成部１４６は、受信データ解析部１４０から動画像名を受けて、文字列情報に適合した動画像名のデータと、バーコードに適合した動画像名のデータとをそれぞれ生成する。動画像名形成部１４６は、生成した動画像名のデータを印刷文字列生成部１５０とバーコード生成部１５２とにそれぞれ与える。
【０１３０】
静止画像生成部１４８は、動画開始時刻を１番目の指定時刻に設定する。静止画像生成部１４８は、受信データ解析部１４０から与えられた動画像について指定時刻に対応する静止画像を生成する。静止画像生成部１４８は、指定時刻に静止画像時間間隔ｔ＿ｎを加算して、新たな指定時刻を設定する。例えば、静止画像時間間隔ｔ＿ｎが「０．１秒」であり、設定されていた指定時刻が動画開始時刻「０秒」であった場合、新たな指定時刻は「０．１秒」となる。静止画像生成部１４８は、新たな指定時刻「０．１秒」における静止画像を生成する。このように、指定時刻の設定と静止画像の生成とを繰返して、静止画像数ｎと同数の静止画像１８０Ａ，１８０Ｂ，…（図５参照）を生成する。静止画像生成部１４８は、生成した静止画像１８０Ａ，１８０Ｂ，…を印刷データ生成部１５４に与える。
【０１３１】
印刷文字列生成部１５０は、静止画像生成部１４８と同様に動画開始時刻０秒を指定時刻に設定し、動画像名形成部１４６から与えられた動画像名と設定した指定時刻とを併せて文字列化して、文字列情報を生成する。印刷文字列生成部１５０は、指定時刻に静止画像時間間隔ｔ＿ｎを加算して、新たな指定時刻を設定する。印刷文字列生成部１５０は、新たな指定時刻における文字列情報を生成する。このように、指定時刻の設定と文字列情報の生成とを繰返して、静止画像数ｎと同数の文字列情報１８４Ａ，１８４Ｂ，…（図５参照）を生成する。印刷文字列生成部１５０は、生成した文字列情報１８４Ａ，１８４Ｂ，…を印刷データ生成部１５４に与える。
【０１３２】
バーコード生成部１５２は、静止画像生成部１４８と同様に動画開始時刻０秒を指定時刻に設定し、動画像名形成部１４６から与えられた動画像名と設定した指定時刻とを併せて動画情報２２０（図７参照）を生成しバーコード化する。バーコード生成部１５２は、指定時刻に静止画像時間間隔ｔ＿ｎを加算して、新たな指定時刻を設定する。バーコード生成部１５２は、新たな指定時刻における動画情報を生成しバーコード化する。このように、指定時刻の設定と動画情報の生成及びバーコード化とを繰返して、静止画像数ｎと同数のバーコード１８２Ａ，１８２Ｂ，…（図５参照）を生成する。バーコード生成部１５２は、生成したバーコード１８２Ａ，１８２Ｂ，…を印刷データ生成部１５４に与える。
【０１３３】
印刷データ生成部１５４は、静止画像時間間隔算出部１４４から与えられた静止画像数ｎをもとに、生成された静止画像、バーコード、及び文字列情報のレイアウトを決定する。さらに、印刷データ生成部１５４は、静止画像、文字列情報、及びバーコードを決定したレイアウトに従い順次配置して、印刷データを生成する。印刷データ生成部１５４は、生成した印刷データを印刷データ表示部１５６にプレビュー表示させる。
【０１３４】
印刷データ表示部１５６による印刷データのプレビュー表示をユーザが確認し、ユーザ・インタフェース部１６０が印刷を要求する入力をユーザより受けると、ユーザ・インタフェース部１６０は、入力信号を印刷データ生成部１５４に与える。印刷データ生成部１５４は、ユーザ・インタフェース部１６０からの入力信号に応答して、印刷データを印刷部１５８に与える。印刷部１５８は、与えられた印刷データをセットされた用紙サイズの印刷媒体６４に印刷する。
【０１３５】
図３を参照して、携帯電話６０のユーザが、印刷データが印刷された印刷媒体６４からバーコードを読取るために携帯電話６０のバーコード読取部１１０を操作すると、バーコード読取部１１０は、ユーザによる操作に従い、印刷媒体６４に印刷されたバーコードを読取る。図１７に、携帯電話６０によるバーコードの読取動作を概略的に示す。図１７を参照して、ユーザが印刷媒体６４に印刷された静止画像又は文字列情報を参照して、再生を開始したい時刻に対応するバーコードを選択し、そのバーコードの読取のために携帯電話６０を操作すると、携帯電話６０のカメラ２４４は、印刷媒体６４上に印刷されたバーコードを撮影し、所定の形式の画像データに電子化する。これにより、携帯電話６０は、バーコードを読取る。
【０１３６】
図１８（Ａ）にバーコードを読取った状態での携帯電話６０の表示部２４０による表示の一例を示す。図１８（Ａ）を参照して、携帯電話６０の表示部２４０には、カメラ２４４が撮影した、印刷媒体６４に印刷された静止画像４６０と、バーコード４６２と、文字列情報４６４との画像が表示される。
【０１３７】
図３に示すバーコード読取部１１０は、撮影された画像からバーコード４６２を読取り、読取ったバーコードをバーコード解析部１１２に与える。バーコード解析部１１２は、与えられたバーコードから動画情報２２０（図７参照）を復号化する。バーコード解析部１１２は復号化した動画情報２２０を動画情報処理部１１４に与える。動画情報処理部１１４は、与えられた動画情報２２０の動画像名２２２を動画像選択部１０２に与える。また、動画情報処理部１１４は、動画情報の指定時刻２２４を動画像再生処理部１１６に与える。
【０１３８】
動画像選択部１０２は、動画情報処理部１１４から受けた動画像名を動画像記憶部１０４に与える。動画像記憶部１０４は、動画像名を受けたことに応答して、動画像名を検索キーとして保持している動画像の中から再生すべき動画像を検索して読出す。動画像記憶部１０４は、読出した動画像を動画像再生処理部１１６に与える。
【０１３９】
動画像再生処理部１１６は、動画情報処理部１１４から与えられた指定時刻と、動画像記憶部１０４より与えられた動画像の動画時刻とを照合して、動画時刻上での当該動画像の再生開始位置を特定する。動画像再生処理部１１６は、特定した位置以降の再生を行なうためのデータを与えられた動画像から抽出して動画像再生部１１８に与える。動画像再生部１１８は、動画像再生処理部１１６から与えられたデータを再生し、動画像の出力を行なう。図１８（Ｂ）に、再生開始時点での携帯電話６０の表示部２４０による表示の一例を示す。図１８（Ｂ）を参照して、携帯電話６０より動画像の再生が開始されると、携帯電話６０の表示部２４０には、図１８（Ａ）に示す静止画像４６０が生成された動画時刻と同一の動画時刻における画像４７０が表示される。携帯電話６０は、このようにして印刷媒体６４から読取り復号化した動画情報２２０が示す指定時刻以降の動画像を再生する。
【０１４０】
このように、本実施の形態では、携帯電話６０と複写機６２が連携することにより、簡単な操作で、携帯電話６０に保持された動画像から静止画像を生成して印刷できる。さらに、ユーザが再生を開始したい場面を印刷媒体６４に印刷した静止画像をもとに選択し、その静止画像に対応するバーコードを携帯電話６０で読取らせると、携帯電話６０は、静止画像に対応する動画時刻から動画像の再生を開始する。そのため、ユーザは、動画像中の所望の場面を、はじめから見る必要がなくなる。よって、携帯電話６０に記憶された動画像をより便利に利用することが可能となる。
【０１４１】
［第２の実施の形態］
上記した第１の実施の形態に係るシステム５０は、単一の動画像について印刷媒体６４への出力を行なった。これに対して、以下に示す第２の実施の形態では、携帯電話は複数の動画像を複写機に送信する。複写機は、受信した複数の動画像について、静止画像数を決定して静止画像の印刷を行なう。
【０１４２】
図１９に、本実施の形態に係る携帯電話５００の機能的構成をブロック図形式で示す。図１９を参照して、携帯電話５００は、図３に示す携帯電話６０と同一の動画像選択入力部１００と、動画像記憶部１０４と、動画像送信部１０８と、バーコード読取部１１０と、バーコード解析部１１２と、動画像再生処理部１１６と、動画像再生部１１８とを含む。
【０１４３】
携帯電話５００は、動画像選択入力部１００を介して与えられるユーザの選択入力に応じて複数の動画像を選択し、動画像記憶部１０４に出力を要求する動画像選択部５０２を含む。携帯電話５００はさらに、送信される複数の動画像を識別するための動画ＩＤを生成するための動画ＩＤ生成部５０４を含む。携帯電話５００はさらに、動画像記憶部１０４より動画像名を受けて動画ＩＤ生成部５０４が生成する動画ＩＤと動画像名とを併せて動画像記憶部１０４及び動画像送信部１０８に与える動画像名生成部５０６を含む。
【０１４４】
動画ＩＤ生成部５０４が生成する動画ＩＤは、携帯電話５００及び本実施の形態に係る複写機において、動画像を識別する情報となる。よって、動画情報にも、動画ＩＤが含まれる。携帯電話５００はさらに、バーコード解析部１１２により復号化された動画情報から動画ＩＤと指定時刻とを取得し、動画像選択部５０２及び動画像再生処理部１１６にそれぞれ与える動画情報処理部５０８を含む。
【０１４５】
動画像選択部５０２は、動画情報処理部５０８から与えられた動画ＩＤを動画像記憶部１０４に与えて、動画像の出力を要求する機能を有する。
【０１４６】
図２０に、本実施の形態に係る複写機５２０の機能的構成をブロック図形式で示す。図２０を参照して、複写機５２０は、複数の動画像のデータを受信してそれぞれ解析し、動画像及び動画像名を出力する機能と、受信したデータに含まれる動画ＩＤを別途出力する機能とを有する受信データ解析部５３０と、受信データ解析部５３０による解析結果に基づき複数の動画像についてそれぞれ静止画像時間間隔を算出する静止画像時間間隔算出部５２４と、静止画像時間間隔算出部５２４に接続された用紙サイズ判定テーブル１４２と、受信データ解析部５３０による解析結果を受け、各動画像の動画像名を文字列情報化するための情報に変換して出力する動画像名形成部５２６と、受信データ解析部５３０が出力した動画ＩＤを、それぞれバーコード化するための情報に変換して出力する動画ＩＤ形成部５３２とを含む。
【０１４７】
複写機５２０はさらに、複数の動画像を受けて、動画像ごとの静止画像時間間隔をもとに静止画像をそれぞれ生成する静止画像生成部５３６と、複数の動画像について文字列情報の生成を行なう印刷文字列生成部５３８と、静止画像時間間隔算出部１４４から静止画像時間間隔と静止画像数とを受け、動画ＩＤ形成部５３２から変換された動画ＩＤを受けて動画情報を生成しバーコード化するバーコード生成部５３４と、静止画像生成部５３６、印刷文字列生成部５３８、及びバーコード生成部５３４に接続された印刷データ生成部１５４と、印刷データ表示部１５６と、印刷部１５８とを含む。
【０１４８】
図２１に、本実施の形態において印刷媒体に印刷される情報の一例を示す。図２１を参照して、印刷媒体５４０に印刷される情報は、図５に示す印刷媒体６４に印刷されるものと同様に複数の静止画像５４２Ａ，５４２Ｂ，…，及び５４４Ａ，５４４Ｂ，…と、これらの静止画像にそれぞれ対応するバーコード５４６Ａ，５４６Ｂ，…，及び５４８Ａ，５４８Ｂ，…，並びに文字列情報５５０Ａ，５５０Ｂ，…，及び５５２Ａ，５５２Ｂ，…を含む。この例では、静止画像５４２Ａ，５４２Ｂ，…と、バーコード５４６Ａ，５４６Ｂ，…と、文字列情報５５０Ａ，５５０Ｂ，…とは、１つの動画像「ゴルフ」について生成された情報である。静止画像５４４Ａ，５４４Ｂ，…と、バーコード５４８Ａ，５４８Ｂ，…と、文字列５５２Ａ，５５２Ｂ，…とは、別の動画像「野球」について生成された情報である。このように、印刷媒体５４０には、複数の動画像について生成された静止画像がともに印刷される。
【０１４９】
図２２に、本実施の形態に係る動画情報の一例を示す。図２２（Ａ）に示す動画情報５６０Ａと図２２（Ｂ）に示す動画情報５６０Ｂとは、ともに１つの印刷媒体５４０に印刷される動画像についての動画情報である。動画情報５６０Ａ及び５６０Ｂはそれぞれ、動画ＩＤ５６２Ａ、５６２Ｂと、指定時刻５６４Ａ、５６４Ｂとにより構成される。本実施の形態では、携帯電話５００は、再生すべき動画像の選択の際に、動画ＩＤによって動画像を識別するため、動画情報に動画像名を含まない。
【０１５０】
本実施の形態に係る携帯電話５００及び複写機５２０は、第１の実施の形態と同様にコンピュータを内蔵したハードウェア、コンピュータ上で動作するプログラム、及びデータにより実現される。
【０１５１】
図２３は、本実施の形態に係る携帯電話５００が実行する動画像送信処理の制御構造を示すフローチャートである。図２３を参照して、動画像送信処理５８０は、図１２に示す第１の実施の形態に係る動画像送信処理３２０と同一のＳ３２２及びＳ３２４を含む。Ｓ３２４終了後、制御はＳ５８２に進む。
【０１５２】
Ｓ５８２では、Ｓ３２４で選択した動画像とともに送信する動画像名及び動画ＩＤを生成する。すでに動画像名が動画像とともに保持されている場合には、ともに保持された動画像名を、送信する動画像名として用いる。続くＳ５８４では、Ｓ３２４で選択された動画像と、Ｓ５８２で生成した動画像名と動画ＩＤとを、複写機５２０に送信し、Ｓ５８６に進む。
【０１５３】
Ｓ５８６では、さらに別の動画像を続けて送信するか否かの選択をユーザより受ける。続けて動画像の送信を行なうことを選択するとＳ３２４に戻り、以降、別の動画像について送信するための処理を行なう。さもなければ、動画像送信処理５８０を終了する。
【０１５４】
図２４は、携帯電話５００が実行する動画再生処理の制御構造を示すフローチャートである。図２４を参照して、動画像再生処理６００は、図１３に示す動画像再生処理３４０と類似の制御構造である。本実施の形態に係る動画像再生処理６００は、図１３に示す動画像再生処理３４０のＳ３４４及びＳ３４６にそれぞれ替えて、Ｓ６０２及びＳ６０４を含む。
【０１５５】
Ｓ６０２では、Ｓ３４２で読取ったバーコード化された動画情報を復号化して、動画ＩＤと指定時刻とを取得する。Ｓ６０４では、バーコードから取得した動画ＩＤをもとに、保持している動画像の中から再生すべきものを選択して読出す。
【０１５６】
本実施の形態に係る複写機５２０が行なう処理の制御構造は、図１４に示す処理３６０の制御構造と類似する。ただし図１４に示すＳ３６８において実行される動画像処理は、図１５に示す第１の実施の形態に係る動画像処理３９０と異なる。
【０１５７】
図２５は、本実施の形態に係る動画像処理の制御構造を示すフローチャートである。図２５を参照して、本実施の形態に係る動画像処理６２０が開始されると、Ｓ６２２において、処理すべき動画像の数を特定する。Ｓ６２４では、受信した各動画像について静止画像数及び静止画像時間間隔を決定する処理を実行する。この処理の詳細については、図２６を用いて後述する。
【０１５８】
Ｓ６２６では、受信した各動画像の動画時間を参照し、受信した動画像のうち動画時間が最長のものを処理すべき動画像として選択する。制御は図１５に示す動画像処理３９０と同一のＳ３９４、Ｓ３９６、及びＳ３９８に進み、静止画像を生成する。Ｓ３９８の処理が終了すると、Ｓ６２８に進む。Ｓ６２８では、Ｓ３９８で生成した静止画像に対応する動画情報を動画ＩＤ及び静止画像時間間隔をもとに生成し、当該動画情報をバーコード化する。制御は図１５に示す動画像処理３９０のものと同一のＳ４０２に進み、文字列情報を生成してＳ４０４に進む。Ｓ４０４では、Ｓ６２６で選択された動画像についての静止画像を全て生成したか否かを判定する。全ての静止画像の生成が完了したと判定されると、Ｓ６３０に進む。さもなければ図１５に示すものと同一のＳ４０６に進む。Ｓ６３０では、受信した全ての動画像について、静止画像を生成する処理が完了したか否かを判定する。全ての動画像について処理が完了しているならばＳ６３４に進む。さもなければＳ６３２に進む。Ｓ６３２では、未処理の動画像のうち動画時間が最長のものを、処理すべき動画像として選択し、Ｓ３９４に戻る。
【０１５９】
Ｓ６３４では、生成された全ての動画像についての静止画像、バーコード、及び文字列を印刷するためのレイアウトを生成し、動画像処理を終了する。処理は、図１４に示すＳ３７０に進む。
【０１６０】
図２６に、図２５に示すＳ６２４において実行される静止画像数及び静止画像時間間隔を決定する処理の詳細を示す。図２６を参照して、本実施の形態に係る静止画像時間間隔算出処理６４０が開始されると、Ｓ６４２において、複写機５２０にセットされている印刷用紙のサイズと、受信した動画像の数とを特定し、図１６に示す処理４２０のものと同一のＳ４２４に進む。このステップで静止画像数ｎが特定される。続くＳ６４４では、受信した各動画像について、動画時刻に基づき、動画時間を得る。さらに動画時間が長いものから順に動画像に対して番号ｉを付与する。
【０１６１】
Ｓ６４６では、静止画像数ｎの静止画像を、動画像数Ｊの動画像にそれぞれ過不足なく均等に割当てることができるか否かを判定する。動画像ごとに同数の静止画像を割当てた場合に、静止画像に余りが発生しない場合（ｎ  ｍｏｄ  Ｊ＝０）、均等に割当てることができるのでＳ６４８に進む。さもなければ、Ｓ６５０に進む。
【０１６２】
Ｓ６４８では、動画像ごとに同数の静止画像を割当て、動画像ごとの静止画像数ｎ＿ｉ＝ｎ／Ｊを算出し、Ｓ６５２に進む。
【０１６３】
Ｓ６５０では、動画時間が長いものから順にＳ６４６において発生することが判明した余りの数と同数の動画像に対してそのほかの動画像よりも１多く静止画像を割当てることにより、動画像ごとの静止画像数を設定し、Ｓ６５２に進む。
【０１６４】
Ｓ６５２では、受信した動画像のうち動画時間が最も長いものを番号ｉにより識別し、当該動画像についての静止画像時間間隔の算出を開始する。
【０１６５】
Ｓ６５４では、識別した動画像の動画時間を参照する。Ｓ６５６では、識別した動画像について、動画時間と静止画像数とを元に、静止画像時間間隔を算出する。Ｓ６５８では、受信した全ての動画像について静止画像時間間隔の算出が完了したか否かを判定する。算出が完了したならば、処理６４０を終了する。さもなければＳ６６０に進む。Ｓ６６０では、次に参照すべき静止画像時間間隔を動画像の番号ｉに基づいて選択し、Ｓ６５４に戻る。
【０１６６】
本実施の形態に係る携帯電話５００及び複写機５２０各機能部は、以下のように動作する。図２０を参照して、受信データ解析部５３０は図４に示す受信データ解析部１４０と同様に、ユーザ・インタフェース部１６０からの入力信号に応答して、データの待受を開始する。
【０１６７】
図１９を参照して、ユーザが携帯電話５００の動画像選択入力部１００に対して動画像の送信を選択する入力を行なうと、動画像選択入力部１００は、入力信号を動画像選択部５０２に与える。動画像選択部５０２は、動画像を選択するための情報を動画像選択入力部１００に与える。動画像選択入力部１００は、受けた情報をＵＩ上で表示し、ユーザによる動画像の選択入力を受けて動画像選択部５０２に与える。動画像選択部５０２は、ユーザにより選択された動画像の出力命令を動画像記憶部１０４に与える。
【０１６８】
動画像選択入力部１００と動画像選択部５０２とは、これら一連の動作を繰返し、ユーザから、送信すべき全ての動画像の選択を受ける。動画像選択部５０２は、ユーザにより選択された動画像の出力命令を、順次動画像記憶部１０４に与える。
【０１６９】
動画像記憶部１０４は、動画像の出力命令に応答して、第１の実施の形態と同様に、選択された動画像を検索して順次読出し、動画像送信部１０８に与える。また動画像記憶部１０４は、検索した各動画像の動画像名を動画像名生成部５０６に与える。
【０１７０】
動画像名生成部５０６は、動画像記憶部１０４から動画像名を受けたことに応答して、動画ＩＤ生成部５０４に動画ＩＤの発行を命じる信号を与える。動画ＩＤ生成部５０４は、当該信号に応答して、動画ＩＤを順次生成し動画像名生成部５０６に与える。動画像名生成部５０６は動画像名と動画像ＩＤとを併せて動画像送信部１０８に与える。また、動画像名生成部５０６は、動画ＩＤを動画像記憶部１０４に動画像とともに格納させる。動画像送信部１０８は、動画像記憶部１０４から選択された複数の動画像を、動画像名生成部５０６から動画像名及び動画ＩＤをそれぞれ受け、受けた動画像及び動画像名を通信媒体５２を介して複写機５２０に順次送信する。
【０１７１】
この時点で待受状態にある、図２０に示す複写機５２０の受信データ解析部５３０は、通信媒体５２を介して携帯電話５００よりデータを受信すると、そのデータを解析して複数の動画像とそれらに対応する動画像名及び動画ＩＤとを取得する。受信データ解析部５３０は、取得した動画像を静止画像生成部５３６に、取得した動画像名を動画像名形成部５２６にそれぞれ与える。受信データ解析部５３０はさらに、取得した各動画像の動画時刻をもとに動画像の動画時間を特定する。受信データ解析部５３０は特定した動画時間をそれぞれ静止画像時間間隔算出部５２４に与える。
【０１７２】
静止画像時間間隔算出部５２４は、受信データ解析部５３０から動画時間を受けたことに応答して、複写機５２０にセットされている用紙のサイズを確認し、確認した用紙のサイズと用紙サイズ判定テーブル１４２とを照合して静止画像数ｎを決定する。静止画像時間間隔算出部５２４は、静止画像数を、受信した各動画像に対して均等に割当て、各動画像の静止画像数を決定する。なお、ここで静止画像数に余りが生じた場合、動画時間が長い動画像に、余った分の静止画像数を割当てる。
【０１７３】
静止画像時間間隔算出部５２４は、動画像ごとの動画時間と動画像ごとの静止画像数とをもとに、各動画像について、静止画像時間間隔を算出する。静止画像時間間隔算出部５２４は、受信した動画像ごとの静止画像数及び静止画像時間間隔を、静止画像生成部５３６、印刷文字列生成部５３８、バーコード生成部５３４、及び印刷データ生成部１５４にそれぞれ与える。動画像名形成部５２６は、受信データ解析部５３０から各動画像の動画像名を受けて文字列情報に適合したデータに変換し、印刷文字列生成部５３８に与える。
【０１７４】
静止画像生成部５３６は、受信データ解析部５３０から与えられた動画像の各々について、第１の実施の形態に係る静止画像生成部１４８（図４参照）と同様の動作で、順次静止画像を生成し、生成した静止画像を印刷データ生成部１５４に与える。印刷文字列生成部５３８は、静止画像生成部５３６と同様に、動画像名形成部５２６から与えられた動画像名の各々について、第１の実施の形態に係る印刷文字列生成部１５０（図４参照）と同様の動作で順次印刷文字列を生成し、印刷データ生成部１５４に与える。
【０１７５】
バーコード生成部５３４は、動画ＩＤ形成部５３２が変換した動画ＩＤの情報と、静止画像時間間隔算出部５２４が生成する動画像ごとの静止画像時間間隔と静止画像数とをもとに、動画像ごとに、静止画像に対応する動画情報５６０Ａ，５６０Ｂ（図２２参照）を順次生成する。バーコード生成部５３４はさらに、生成した動画情報５６０Ａ，５６０Ｂを順次バーコード化する。バーコード生成部５３４は、生成したバーコードを順次印刷データ生成部１５４に与える。
【０１７６】
印刷データ生成部１５４は、静止画像時間間隔算出部５２４から与えられた静止画像数をもとに、生成された静止画像、バーコード、及び文字列情報のレイアウトを決定する。印刷データ生成部１５４は決定したレイアウトに従い与えられた静止画像、文字列情報、及びバーコードを、動画像別に、指定時刻順に配置し、印刷データを生成する。印刷データ生成部１５４は、生成した印刷データを印刷データ表示部１５６にプレビュー表示させる。ユーザ・インタフェース部１６０は、印刷を要求する入力をユーザより受けると、入力信号を印刷データ生成部１５４に与える。印刷データ生成部１５４は、入力信号に応答して、印刷データを印刷部１５８に与える。印刷部１５８は、与えられた印刷データをセットされた用紙に印刷して、印刷媒体５４０（図２１参照）を出力する。
【０１７７】
図１９を参照して、携帯電話５００のバーコード読取部１１０と、バーコード解析部１１２とは、第１の実施の形態に係る携帯電話６０と同様の動作でバーコードを読取り、解析する。ただし、バーコード解析部１１２が復号化した動画情報は、動画ＩＤと指定時刻とを含むものとなる。バーコード解析部１１２は復号化した動画情報５６０（図２２参照）を動画情報処理部５０８に与える。動画情報処理部５０８は、与えられた動画情報の動画ＩＤを動画像選択部５０２に与える。また、動画情報処理部５０８は、動画情報の指定時刻２２４を動画像再生処理部１１６に与える。動画像選択部５０２は、動画情報処理部５０８から受けた動画ＩＤを動画像記憶部１０４に与える。動画像記憶部１０４は、動画ＩＤを受け、動画ＩＤを検索キーとして再生すべき動画像を検索して読出す。動画像記憶部１０４は、読出した動画像を動画像再生処理部１１６に与える。動画像再生処理部１１６と、動画像再生部１１８とは、第１の実施の形態と同様の動作で、与えられた動画像についての再生を行なう。
【０１７８】
このように、本実施の形態では、携帯電話５００に保持された複数の動画像を印刷することができる。複写機５２０は、用紙サイズに応じて特定される静止画像数を、複数の動画像に等分割で割当て、これら複数の動画像から静止画像を生成して印刷する。そのため、印刷用紙には、複数の動画像についての静止画象とバーコードとが一括して印刷される。よって、ユーザは、印刷媒体５４０を、指定時刻ごと静止画像の一覧としてだけでなく、保持している動画像の一覧として利用することもできるようになる。また、動画像ごとに、割当てられた静止画像数に応じて時間間隔をそれぞれ算出することにより、動画像における指定時刻は、それぞれ動画像に適切なものになる。
【０１７９】
なお、本実施の形態では、複数の動画像に、静止画像数を均等に割当てたが、本発明はこのような実施の形態には限定されない。例えば、動画時間の長さに応じた静止画像数を、動画像ごとに決定して割当てるようにしてもよい。
【０１８０】
［第３の実施の形態］
上記した第１及び第２の実施の形態では、携帯電話は複写機に対して動画像を送信した。しかし、本発明は、このような実施の形態には限定されない。例えば、動画像の中には、著作権保護のために、データの複製などを行なえないようコピー防止情報が付与されているものがある。このような動画像については、携帯電話から他の装置に送信すること、及び動画像から静止画像を生成して印刷することができない。そこで、本実施の形態では、動画情報を生成するために必要となる動画時間を携帯電話側で生成し、動画像にコピー防止情報が付与されている場合には、携帯電話は動画像自体に替えて、生成した動画時間を送信する。複写機は、受信したデータが動画像ではなく動画時間を含むものであることに応答して、静止画像を生成せずにバーコードと文字情報のみを生成し、印刷媒体に出力する。
【０１８１】
図２７に、本実施の形態に係る携帯電話７００の機能的構成をブロック図形式で示す。図２７を参照して、携帯電話７００は、図３に示す第１の実施の形態に係る携帯電話６０と類似の構成で、さらに、動画像記憶部１０４が複写機に対して送信するために出力した動画像が著作権の保護の対象であり他の装置に送信できないものであるか否かを判定する著作権保護判定部７０２と、著作権保護判定部７０２により送信できないと判定された動画像についての動画時間を算出して出力する動画時間生成部７０４とを含む。本実施の形態に係る携帯電話７００はさらに、図３に示す動画像送信部１０８に替えて、著作権保護判定部７０２により送信できると判定された動画像、又は動画時間生成部７０４が生成した動画時間を、動画像生成部１０６が生成する動画像名に併せて、通信媒体５２を介して送信する動画像送信部７０６を含む。
【０１８２】
図２８に、本実施の形態に係る複写機７２０の機能的構成をブロック図形式で示す。図２８を参照して、複写機７２０は、図４に示す第１の実施の形態に係る複写機６２と同一の動画像名形成部１４６と、印刷文字列生成部１５０と、バーコード生成部１５２と、印刷データ表示部１５６と、印刷部１５８と、ユーザ・インタフェース部１６０とを含む。複写機７２０は、図４に示す複写機６２の受信データ解析部１４０に替えて、携帯電話７００から動画像と動画像名との組、又は動画時間と動画像名との組を受信して解析し、動画像が含まれているか否かを判定する機能を有する受信データ解析部７２２を含む。複写機７２０はさらに、図４に示す用紙サイズ判定テーブル１４２の構成に加えて、静止画像を生成しない場合に印刷媒体に印刷するバーコード及び文字列情報の数を特定するための情報を格納する用紙サイズ判定テーブル７２４と、受信データ解析部７２２より与えられる動画時間、用紙サイズ判定テーブル７２４、及び受信データ解析部７２２による判定の結果に基づいて、静止画像時間間隔を算出する静止画像時間間隔算出部７２６と、図４に示す印刷データ生成部１５４が有する機能に加えて、静止画像時間間隔算出部７２６から与えられた情報に基づき、静止画像を含まない印刷データを生成する機能をさらに有する印刷データ生成部７２８を含む。
【０１８３】
図２９に、複写機７２０の用紙サイズ判定テーブル７２４の一例を示す。図２９を参照して、用紙サイズ判定テーブル７２４は、図６に示す用紙サイズ判定テーブル１４２に加えて、印刷用紙のサイズごとに、静止画像を印刷しない場合に印刷すべきバーコードの数を格納する「バーコードのみ」項目７４０を含む。
【０１８４】
本実施の形態に係る携帯電話７００及び複写機７２０は、第１の実施の形態と同様にコンピュータを内蔵したハードウェア、コンピュータ上で動作するプログラム、及びデータにより実現される。
【０１８５】
図３０は、携帯電話７００において実行される動画像送信処理の制御構造を示すフローチャートである。図３０を参照して、動画像送信処理７６０が開始されると、制御は図１２に示す動画像送信処理３２０と同一のＳ３２２、Ｓ３２４、及びＳ３２６に進む。Ｓ３２６において、Ｓ３２４で選択された動画像の動画像名の生成が完了すると、制御はＳ７６２に進む。Ｓ７６２では、Ｓ３２４で選択された動画像が著作権保護の対象となる動画像であるか否かを判定する。著作権保護の対象でないならば、Ｓ３２８に進み、選択された動画像と、Ｓ３２６で生成した動画像名を併せて、複写機７２０に送信して処理を終了する。動画像が著作権保護の対象であるならば、Ｓ７６４に進む。Ｓ７６４では、選択された動画像についての動画時刻に基づき、当該動画像の動画時間を算出する。続くＳ７６６では、Ｓ３２６で生成した動画像名と、Ｓ７６４で算出した動画時間とを併せて、複写機７２０に送信し、処理を終了する。
【０１８６】
本実施の形態に係る携帯電話７００において実行される動画像再生処理は、図１３に示す第１の実施の形態に係る動画像再生処理３４０と同様のものである。よって説明は繰返さない。
【０１８７】
図３１は、本実施の形態に係る複写機７２０において実行される処理の制御構造を示すフローチャートである。図３１を参照して、処理７８０が開始されると、図１４に示す第１の実施の形態に係る処理３６０と同一のＳ３６２、Ｓ３６４、及びＳ３６６に進む。Ｓ３６６が終了すると、Ｓ７８２に進む。Ｓ７８２では、携帯電話７００より受信したデータが動画像を含むか否かを判定する。動画像を含むものであるならば、Ｓ３６８に進む。以下、図１４に示す処理３６０と同一の処理構造で処理が実行される。動画像が含まれていない場合、制御はＳ７８４に進む。Ｓ７８４では、バーコード及び文字情報のみの印刷データを生成する処理を行なう。処理はＳ３７０に進む。
【０１８８】
図３２に、図３１に示すＳ７８４において実行される処理の詳細を示す。図３２を参照して、Ｓ７８４での処理８００が開始されると、Ｓ８０２では、受信した動画時間と、用紙サイズ判定テーブル７２４（図２９参照）の「バーコードのみ」項目７４０とを参照して、図１６に示す静止画像時間間隔決定処理４２０と同様の処理で、生成すべきバーコードの数及び静止画像時間間隔を決定する処理を実行する。続くＳ８０４では、バーコード及び文字列情報の生成を開始する。Ｓ８０６では、指定時刻を動画開始時刻に設定する。Ｓ８０８では、動画像名及び指定時刻とからなる動画情報を生成する。Ｓ８１０では、Ｓ８０８で生成された動画情報をバーコード化する。Ｓ８１２では、Ｓ８０８で生成された動画情報を文字列情報化する。Ｓ８１４では、印刷媒体に出力すべき全てのバーコード及び文字列情報が生成されたか否かを判定する。完了していなければ、Ｓ８１６に進み、静止画像時間間隔に基づき次の指定時刻を設定し、Ｓ８０８に戻る。全てのバーコード及び文字列情報が生成されたならば、Ｓ８１８に進み、バーコードと文字列情報とを配置した印刷レイアウトを生成し、処理８００を終了する。
【０１８９】
本実施の形態に係る携帯電話７００は、動画像記憶部１０４から動画像を読出して送信する際に、動画像記憶部１０４が読出した動画像が、著作権保護判定部７０２に与えられる。著作権保護判定部７０２は、与えられた動画像が著作権保護の対象であるか否かの判定を行なう。
【０１９０】
著作権保護の対象でないという判定結果を著作権保護判定部７０２が得ると、著作権保護判定部７０２は、当該動画像を動画像送信部７０６に与える。動画像送信部７０６は第１の実施の形態に係る動画像送信部１０８と同様の動作で動画像のデータを複写機７２０に送信する。この場合、複写機７２０は、第１の実施の形態に係る複写機６２と同様の動作で、静止画像、バーコード、及び文字列情報を含む印刷データを生成し、印刷媒体に印刷する。携帯電話７００は、第１の実施の形態に係る携帯電話６０と同様の動作でバーコードを読取り、動画像及びその再生開始位置を特定して、再生を行なう。この場合の携帯電話７００と、複写機７２０の動作の詳細についての説明は繰返さない。
【０１９１】
図２７を参照して、著作権保護の対象であるという判定結果を著作権保護判定部７０２が得ると、著作権保護判定部７０２は、動画像を、動画時間生成部７０４に与える。動画時間生成部７０４は、与えられた動画像の再生に要する動画時間を、当該動画像の動画時刻をもとに特定する。動画時間生成部７０４は特定した動画時間の情報を動画像送信部７０６に与える。
【０１９２】
動画像送信部７０６は、動画時間の情報を動画時間生成部７０４から受け、かつ動画像名生成部１０６から動画像名を受けたことに応答して、動画時間の情報と、動画像名とを、通信媒体５２を介して複写機７２０に送信する。
【０１９３】
図２８を参照して、受信データ解析部７２２が、携帯電話７００からデータを受信すると、受信したデータが、動画像を含むものであるか、動画時間の情報を含むものであるかを判定する。受信データ解析部７２２は、受信した動画像が動画時間の情報を含むものであることに応答して、動画像名を動画像名形成部１４６に与え、当該動画時間を静止画像時間間隔算出部７２６に与える。この際、受信データ解析部７２２は、受信したデータに動画像が含まれていないことを静止画像時間間隔算出部７２６に通知する。
【０１９４】
なお、この場合、受信したデータには、動画像が含まれないため、静止画像生成部１４８に動画像が与えられない。よって、静止画像生成部１４８は、静止画像を生成しない。
【０１９５】
静止画像時間間隔算出部７２６は、受信したデータに動画像が含まれていない旨の通知を受信データ解析部７２２から受けたことに応答して、セットされた印刷用紙のサイズを確認し、図２９に示す用紙サイズ判定テーブル７２４の「バーコードのみ」項目７４０を参照して、生成するバーコード及び文字列情報の数を特定する。この数は、第１の実施の形態における静止画像数に相当する。
【０１９６】
静止画像時間間隔算出部７２６は、特定した数と、受信データ解析部７２２を介して携帯電話７００から与えられた動画時間の情報とをもとに、静止画像時間間隔を算出する。静止画像時間間隔算出部７２６は、算出した静止画像時間間隔と、特定したバーコード及び文字列情報の数とを、印刷文字列生成部１５０、バーコード生成部１５２、及び印刷データ生成部７２８に与える。この際、静止画像時間間隔算出部７２６は、受信したデータに動画像が含まれていない旨の通知を印刷データ生成部７２８に与える。
【０１９７】
印刷文字列生成部１５０とバーコード生成部１５２とは、第１の実施の形態と同様の動作で文字列情報とバーコードとをそれぞれ順次生成し、印刷データ生成部７２８に与える。
【０１９８】
印刷データ生成部７２８は、静止画像時間間隔算出部７２６からの通知と、算出した静止画像時間間隔と、特定したバーコード及び文字列情報の数とを受けたことに応答して、静止画像を含まない印刷データのレイアウトを形成する。印刷データ生成部７２８は、印刷文字列生成部１５０が生成する文字列情報と、バーコード生成部１５２が生成するバーコードとを、静止画像を含まない印刷データのレイアウトに沿って配置して、印刷データを生成する。生成した印刷データはプレビューの後、印刷媒体６４に印刷される。
【０１９９】
印刷媒体６４には、バーコードと文字列情報とが印刷されるが、静止画像は印刷されない。その分、印刷媒体６４には、多数のバーコードと文字列情報とが印刷される。
【０２００】
ユーザが、バーコードに対応する文字列情報を参照して、バーコードを選択し、携帯電話７００を操作すると、携帯電話７００は、第１の実施の形態に係る携帯電話６０と同様の動作でバーコードを読取り、動画像の再生位置を特定して、動画像の再生を開始する。
【０２０１】
このように、本実施の形態では、動画像の著作権を保護しつつ、印刷媒体にバーコード化した動画情報を印刷することが可能となる。
【０２０２】
なお、上記した実施の形態では、バーコード化された動画情報は、動画像を識別するための動画像名又は動画ＩＤと、指定時刻とを含むものであった。しかし、複写機がバーコード化する情報は、このような情報には限定されない。例えば、バーコード化される動画情報に、さらに携帯電話を識別するための識別情報を含めてもよい。また、複写機が生成し携帯電話が読取るコードは１次元のバーコードには限定されない。例えば、２次元コードであってもよい。２次元コードを用いることにより、印刷媒体を介して複写機から携帯電話により多くの情報を与えることが可能となる。
【０２０３】
上記した実施の形態では、複写機は予めセットされた印刷用紙のサイズに基づき静止画像数及び静止画像時間間隔を決定した。しかし、本発明はこのような実施の形態には限定されない。
【０２０４】
例えば、ユーザによる印刷用紙の選択を受け、選択された用紙のサイズに基づき静止画像数及び静止画像時間間隔を決定し、印刷データを生成してもよい。また例えば、１枚の印刷媒体６４に印刷を行なうばかりでなく、複数枚の印刷媒体に亘って印刷するようにしてもよい。静止画像数は、用紙サイズに印刷枚数を乗じた数となる。この場合、ユーザからの設定入力等に基づき、印刷媒体の枚数を決定する必要がある。
【０２０５】
なお、上記した実施の形態では、複写機は用紙サイズと動画時間をもとに静止画像時間間隔を自動的に決定したが、本発明はこのような実施の形態には限定されない。例えば、ユーザが図４に示すユーザ・インタフェース部１６０を用いて静止画像時間間隔を設定するようにしてもよい。
【０２０６】
図３３は、図１５に示す第１の実施の形態に係る動画像処理に替えて、ユーザによる静止画像時間間隔の設定入力に基づき印刷データの生成を行なう動画像処理の制御構造を示すフローチャートである。図３３を参照して、この動画像処理９００が開始されると、Ｓ９０２において、ユーザが時間間隔の設定入力を行なう。この際の入力方式は、ユーザ・インタフェース上に表示される時間をチェックボックス式に選択してもよい。また実際に時間を手入力するようにしてもよい。Ｓ９０４では、用紙サイズ判定テーブル１４２を参照し、必要な静止画像数を決定する。制御は図１５に示す処理と同様にＳ３９４に進む。以下Ｓ４０２まで、図１５に示す動画像処理と同様の処理で、静止画像、バーコード、及び文字列情報の生成を行ない、処理は、Ｓ９０６に進む。
【０２０７】
Ｓ９０６では、その時点で生成した動画情報の指定時刻に、Ｓ９０２で受けた時間間隔を加算した動画時刻が、動画時間内であるか否かを判定する。動画時間内であれば、Ｓ９０８に進み、加算した動画時刻を、新たな指定時刻に設定し、Ｓ３９６に戻る。さもなければ、静止画像の生成を終了しＳ４０８に進み、印刷レイアウトの生成を行なう。このように、ユーザの入力による設定に従って静止画像、バーコード及び文字列を生成することにより、ユーザにとって動画像の再生の開始位置を選択しやすい静止画像時間間隔で、印刷媒体にバーコード及び静止画像を印刷でき、利便性が向上する。
【０２０８】
また、動画像中の特定の区間をユーザが指定し、動画像の複写機が指定された区間内で指定時刻の決定を行なうようにしてもよい。このような場合、ユーザが複写機のユーザ・インタフェース部を用いて、複写機が受信した動画像についての動画時刻上の２点を指定する。複写機は、指定された２点をそれぞれ静止画像の生成対象となる区間の開始位置と終了位置として特定する。さらに複写機は、動画時刻上で開始位置及び終了位置に設定し、この２点間の動画時刻上での距離を求めて、この動画像についての動画時間とする。複写機は、静止画像時間間隔をこのようにして定めた動画時間と静止画像数とをもとに算出し、特定した区間の開始位置から順に、算出した静止画像間隔ごとに静止画像と動画情報とを生成する。例えば、ユーザがある動画像の動画時刻１．３秒以降について動画情報を必要としていない場合、動画時刻０秒と１．２秒とを指定する。複写機は動画時刻０秒から１．２秒までの動画像に対して、用紙サイズに応じた１５枚の静止画像を生成するための静止画像時間間隔を算出して、静止画像及び動画情報の生成及び配置を行なう。このようにすると、ユーザは動画像の必要な時間的区間について静止画像を生成、印刷することが可能となる。
【０２０９】
上記した実施の形態では、動画時刻上でのある時刻を指定することによって、動画像の再生開始位置の特定、及び生成すべき静止画像の特定を行なった。このような再生開始位置及び静止画像の特定方法は、指定時刻に対応するフレームが存在することを前提としたものである。しかし、例えば、ＭＰＥＧ（Ｍｏｖｉｎｇ  Ｐｉｃｔｕｒｅ  Ｅｘｐｅｒｔｓ  Ｇｒｏｕｐ）形式など、現在一般的に使用されている動画像の記録形式の中には、指定時刻に対応するフレームが存在するとは限らないものがある。このような形式の動画像では、指定時刻に一致したフレームから静止画像を生成することは可能ではない。このような場合、複写機で静止画像を生成する場合、指定した時刻に対して最近接のフレームの静止画像を選択するようにしてもよい。これにより、指定時刻に静止画像を持たない動画像についても静止画像を生成し印刷することが可能となる。また携帯電話は、動画像の再生開始位置を特定する際に、特定した指定時刻以降に存在するフレームのうち当該指定時刻に最近接のものを選択する。携帯電話がそのフレームを動画開始位置のフレームとして特定し、特定したフレームから再生を開始することにより、複写機が設定した指定時刻の各々に対し、動画像からの静止画像の生成、及び動画像の再生が矛盾なく可能となる。
【０２１０】
なお、上記した実施の形態では、複写機が印刷媒体に印刷すべき静止画像を生成した。しかし、本発明はこのような実施の形態には限定されない。例えば、静止画像を生成するための機能部を携帯電話が含み、携帯電話内で静止画像の生成、動画情報の生成を行なうようにしてもよい。この場合、複写機は、静止画像と動画情報とを受信し、印刷媒体に印刷する。又は、携帯電話は、携帯電話内で生成した動画時間を用いて、動画像を指定時刻で呼出し再生するようにしてもよい。
【０２１１】
上記した実施の形態では、静止画像に対応する指定時刻どうしの時間的間隔すなわち静止画像時間間隔は一定であった。しかし、本発明はこのような実施の形態には限定されない。例えば、動画像内で、シーンの切替わりが激しい部分、又は画像の変化が大きな部分について、別途静止画像時間間隔を設定し、他の部分についての時間間隔よりも短い時間的間隔で静止画像の生成を行なうようにしてもよい。
【０２１２】
動画像の場合、シーンが変わる場合や激しい動きをもった動画像である場合も少なくない。例えば、ゴルフ等の動画像では、映像の変化は、ゴルフクラブを振上げる場面よりも振下ろす場合の方が激しい。また、ユーザがゴルフクラブを振下ろす場面において、より詳細に動画像を見たいと思う事は十分に考えられる。
【０２１３】
例えば、早い動作が行われている場面では、隣接する指定時刻において生成される静止画像間で静止画像の差分が大きくなる。このように静止画像の差分が大きな部分を特定し、その部分について、静止画像時間間隔を半減するなどしてもよい。時間間隔の半減を行なうことにより、動作の激しい場面についてより短い時間間隔で静止画像を生成することが可能となる。
【０２１４】
なお、上記した実施の形態では、動画再生機能を有する携帯電話と、印刷装置としての機能を有する複写機とを含むシステムを例示したが、携帯電話に替えて、通信機能と動画像の再生機能を有する携帯情報端末装置（ＰＤＡ）、パーソナルコンピュータ等を用いてもよい。また、複写機に替えて、一般的なプリンタ装置を用いることも可能である。
【０２１５】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【０２１６】
【図１】本発明の第１の実施の形態に係るシステム５０の構成を示す概略図である。
【図２】携帯電話６０が保持する動画像と、印刷される静止画像と、再生される動画像との関係を概略的に示す図である。
【図３】第１の実施の形態に係る携帯電話６０の機能的構成を示すブロック図である。
【図４】第１の実施の形態に係る複写機６２の機能的構成を示すブロック図である。
【図５】印刷媒体６４に印刷される情報の一例を示す図である。
【図６】用紙サイズ判定テーブル１４２の一例を示す図である。
【図７】動画像名形成部１４６が生成する動画情報の一例を示す図である。
【図８】携帯電話６０の外観の一例を示す正面図である。
【図９】携帯電話６０の外観の一例を示す背面図である。
【図１０】携帯電話６０のハードウェアの内部構成を示す図である。
【図１１】複写機６２のハードウェアの内部構成を示す図である。
【図１２】携帯電話６０が実行する動画像送信処理の制御構造を示すフローチャートである。
【図１３】携帯電話６０が実行する動画像再生処理の制御構造を示すフローチャートである。
【図１４】複写機６２が行なう処理の制御構造を示すフローチャートである。
【図１５】図１４に示す動画像処理の制御構造を示すフローチャートである。
【図１６】図１５に示す静止画像数及び静止画像時間間隔の決定処理の詳細を示すフローチャートである。
【図１７】携帯電話６０によるバーコードの読取動作を概略的に示す図である。
【図１８】携帯電話６０の表示部２４０による表示例を示す図である。
【図１９】第２の実施の形態に係る携帯電話５００の機能的構成を示すブロック図である。
【図２０】第２の実施の形態に係る複写機５２０の機能的構成を示すブロック図である。
【図２１】第２の実施の形態において印刷媒体５４０に印刷される情報の一例を示す図である。
【図２２】第２の実施の形態における動画情報の一例を示す図である。
【図２３】携帯電話５００による動画像送信処理の制御構造を示すフローチャートである。
【図２４】携帯電話５００による動画再生処理の制御構造を示すフローチャートである。
【図２５】複写機５２０による動画像処理の制御構造を示すフローチャートである。
【図２６】第２の実施の形態に係る静止画像数及び静止画像時間間隔の決定処理の詳細を示すフローチャートである。
【図２７】第３の実施の形態に係る携帯電話７００の機能的構成を示すブロック図である。
【図２８】第３の実施の形態に係る複写機７２０の機能的構成を示すブロック図である。
【図２９】複写機７２０の用紙サイズ判定テーブル７２４の一例を示す図である。
【図３０】携帯電話７００において実行される動画像送信処理の制御構造を示すフローチャートである。
【図３１】本実施の形態に係る複写機７２０において実行される処理の制御構造を示すフローチャートである。
【図３２】図３１に示す静止画像なしの動画像処理７８４の処理の詳細を示すフローチャートである。
【図３３】ユーザによる静止画像時間間隔の設定入力に基づき印刷データの生成を行なう場合の動画像処理の制御構造を示すフローチャートである。
【符号の説明】
【０２１７】
５２  通信媒体、６０，５００，７００  携帯電話、６２，５２０，７２０  複写機、６４，５４０  印刷媒体、１００  動画像選択入力部、１０２，５０２  動画像選択部、１０４  動画像記憶部、１０６，５０６  動画像名生成部、１０８，７０６  動画像送信部、１１０  バーコード読取部、１１２  バーコード解析部、１１４、５０８  動画情報処理部、１１６  動画像再生処理部、１１８  動画像再生部、１４０，５３０，７２２  受信データ解析部、１４２，７２４  用紙サイズ判定テーブル、１４４，５２４，７２６  静止画像時間間隔算出部、１４６，５２６  動画像名形成部、１４８，５３６  静止画像生成部、１５０，５３８  印刷文字列生成部、１５２，５３４  バーコード生成部、１５４、７２８  印刷データ生成部、１５６  印刷データ表示部、１５８  印刷部、１６０  ユーザ・インタフェース部、２２０，５６０Ａ，５６０Ｂ  動画情報、２４０，２８０  表示部、２４２，２８２  入力部、２４４  カメラ、２４６，２８６  通信部、２５０，２９０  ＣＰＵ、２５２，２９２  バス、２５４，２９４  ＲＯＭ、２５６，２９６  ＲＡＭ、２５８，２９８  処理部、２８４  印刷部、５０４  動画ＩＤ生成部、５３２  動画ＩＤ形成部、７０２  著作権保護判定部、７０４  動画時間生成部
【図１】
2006013792.tif 000003
【図２】
2006013792.tif 000004
【図３】
2006013792.tif 000005
【図４】
2006013792.tif 000006
【図５】
2006013792.tif 000007
【図６】
2006013792.tif 000008
【図７】
2006013792.tif 000009
【図８】
2006013792.tif 000010
【図９】
2006013792.tif 000011
【図１０】
2006013792.tif 000012
【図１１】
2006013792.tif 000013
【図１２】
2006013792.tif 000014
【図１３】
2006013792.tif 000015
【図１４】
2006013792.tif 000016
【図１５】
2006013792.tif 000017
【図１６】
2006013792.tif 000018
【図１７】
2006013792.tif 000019
【図１８】
2006013792.tif 000020
【図１９】
2006013792.tif 000021
【図２０】
2006013792.tif 000022
【図２１】
2006013792.tif 000023
【図２２】
2006013792.tif 000024
【図２３】
2006013792.tif 000025
【図２４】
2006013792.tif 000026
【図２５】
2006013792.tif 000027
【図２６】
2006013792.tif 000028
【図２７】
2006013792.tif 000029
【図２８】
2006013792.tif 000030
【図２９】
2006013792.tif 000031
【図３０】
2006013792.tif 000032
【図３１】
2006013792.tif 000033
【図３２】
2006013792.tif 000034
【図３３】
2006013792.tif 000035